(57)【要約】ユーザの現在位置から、プログラム信号に埋め込まれるかそれと共に送信されたアドレスに関連する位置への方位を提供することによって、ユーザへの商品／サービスの提供を促進するシステム（図５）及び方法。このシステム（図５）は、ユーザ識別子、支払い情報、ユーザプリファレンス、及び配送指示をも使用して、目的地へのユーザの到着時に、ユーザに商品／サービスを迅速に提供する。アドレスは、プロバイダによって提供される商品／サービスの一覧表及び商品／サービスを提供する位置の一覧表があるオンライン情報プロバイダ及び／又はデータベースへの指示を提供する。目的地のさまざまな位置を、好ましくは全世界測位システムを使用して決定されるユーザの現在位置と比較することによって、本発明は、目的地のどの位置が、最も近いかを決定し、その位置への方位を提供する。更に、本発明は、ユーザの支払い及び他の情報をプロバイダに自動的に通信するためにモバイルトランザクションイネーブリングシステム（ＭＯＴＥＳ）を使用するように構成することができる。
2004501351.tif 000002
【特許請求の範囲】
【請求項１】
プロバイダから商品／サービスを獲得するために必要なトランザクションを促進するシステムであって、商品／サービスに関係する、現在位置からプロバイダ位置への方位を含む追加情報が、プログラム信号で提供されるプログラムに関連する情報供給源から入手可能であり、
プログラム信号と、前記プログラム信号内で提供されるプログラムに関係する追加情報のプロバイダに関連するアドレスとを受信するための受信器と、
操作可能に前記受信器に接続された、アドレスを復号するためのアクセスコントローラと、
前記追加情報にアクセスするユーザコマンドを入力するユーザインターフェースと、
ユーザコマンドの際に、プロバイダとのリンクを確立する通信ユニットと、
ユーザによるプロバイダからの商品／サービスの獲得を促進するＭＯＴＥＳインターフェース手段と
を含むシステム。
【請求項２】
受信器の現在位置を決定するための位置決定ユニットを更に含み、そして、方位決定手段が、目的地位置への方位を決定するために現在位置を使用する、請求項１に記載のシステム。
【請求項３】
前記プログラム信号が、ラジオ放送信号及びテレビジョン放送信号からなる群から選択された少なくとも１つである、請求項１に記載のシステム。
【請求項４】
前記プログラム信号が、オーディオ信号、ビデオ信号、及び、組み合わされたオーディオ及びビデオ信号からなる群から選択された少なくとも１つである、請求項１に記載のシステム。
【請求項５】
システムが、ディジタルバーサタイルディスク、コンパクトディスク、ビデオテープ、磁気テープ、ハードディスクドライブ、光学記憶手段、磁気記憶手段、ポータブル不揮発性記憶手段、連続的に電力を与えられる揮発性記憶手段、メモリカード、リモートデータベース、及び、ローカルデータベースからなる群から選択された記憶手段を更に含む、請求項１に記載のシステム。
【請求項６】
前記記憶手段が、前記プログラム信号を記憶する、請求項５に記載のシステム。
【請求項７】
前記記憶手段が、ユーザによるプロバイダからの商品／サービスの獲得を促進するために使用されるユーザ情報を記憶する、請求項５に記載のシステム。
【請求項８】
前記ユーザ情報が、ユーザ識別情報、支払い情報、位置情報、プリファレンス、及び、配送情報からなる群から選択された少なくとも１つの発生情報を更に含む、請求項７に記載のシステム。
【請求項９】
前記ユーザ情報が、目的地位置への前記ユーザの到着に先立ってプロバイダに通信される、請求項７に記載のシステム。
【請求項１０】
前記ユーザ情報が、目的地位置への前記ユーザの到着の時にプロバイダに通信される、請求項７に記載のシステム。
【請求項１１】
前記ユーザ情報が、前記プロバイダに電子的に通信される、請求項７に記載のシステム。
【請求項１２】
前記ユーザ情報が、言語によって前記プロバイダに通信される、請求項７に記載のシステム。
【請求項１３】
目的地位置への前記ユーザの到着の際に、前記ユーザが、トランザクション要件をすべて完了しており、そして、商品／サービスを受け取る準備ができている、請求項８に記載のシステム。
【請求項１４】
目的地位置への前記ユーザの到着の際に、前記ユーザ情報が、無線信号を介してプロバイダに通信される、請求項８に記載のシステム。
【請求項１５】
前記無線信号が、更に、ＭＯＴＥＳ信号を含む、請求項１４に記載のシステム。
【請求項１６】
前記プログラム信号が、衛星放送、テレビジョン放送、ケーブル、インターネット、公衆ネットワーク、私有ネットワーク、無線遠隔通信リンク、無線ネットワーク、及び、ラジオ周波数放送からなる群から選択された少なくとも１つの伝送媒体を介して受信される、請求項１に記載のシステム。
【請求項１７】
前記プログラム信号が、暗号化される、請求項１６に記載のシステム。
【請求項１８】
前記プログラム信号が、オーディオプログラムを含み、そして、前記システムが、オーディオプログラムを呈示する少なくとも１つのスピーカを更に含む、請求項１に記載のシステム。
【請求項１９】
前記プログラム信号が、ビデオプログラムを含み、そして、前記システムが、ビデオプログラムを呈示するビデオモニタを更に含む、請求項１に記載のシステム。
【請求項２０】
前記アドレスが、前記プログラム信号に埋め込まれる、請求項１に記載のシステム。
【請求項２１】
前記アドレスが、前記プログラム信号とは別に送信される、請求項１に記載のシステム。
【請求項２２】
前記アドレスが、オンライン情報プロバイダに関連する、請求項１に記載のシステム。
【請求項２３】
前記アドレスが、インターネット、イントラネット、私有ネットワーク、及び、固定通信ネットワークからなる群から選択されたネットワークによってアクセス可能な情報供給源に関連する、請求項１に記載のシステム。
【請求項２４】
前記システムが、
前記プログラム信号から前記アドレスを抽出する、前記受信器と通信するアドレス抽出器と、
前記アドレスの受信時にインジケータ信号を生成するインジケータ信号ジェネレータと
を更に含む、請求項１に記載のシステム。
【請求項２５】
前記アドレスが、データベースファイル識別子である、請求項１に記載のシステム。
【請求項２６】
前記位置決定ユニットが、ＧＰＳ衛星信号を受信し、そして、前記ユーザの現在位置を決定するＧＰＳ受信器を更に含む、請求項２に記載のシステム。
【請求項２７】
前記位置決定ユニットが、差動ＧＰＳと、住所と、交差点と、緯度及び経度と、既知の位置からの時間、距離、及び、方向の測定値とからなる群から選択された少なくとも１つの手法を介して実現される方法を利用する、請求項２に記載のシステム。
【請求項２８】
前記ユーザインターフェースが、ＨＵＤユニット、音声コマンド認識装置、キーパッド、ビデオモニタ、スピーカ、計算装置、音声駆動トリガ、及び、プリンタからなる群から選択された少なくとも１つの装置を更に含む、請求項１に記載のシステム。
【請求項２９】
前記追加情報が、前記プロバイダによって供給され、そして、前記ユーザによる選択のために使用可能である、オプションのメニューを含む、請求項１に記載のシステム。
【請求項３０】
前記ユーザが、前記ユーザインターフェース手段を介してオプションを選択する、請求項２９に記載のシステム。
【請求項３１】
前記ユーザが、前記プロバイダに対して、前記ユーザインターフェース手段を介して、オプションのメニューで提供されない商品／サービスを指定する、請求項２９に記載のシステム。
【請求項３２】
前記プロバイダが、目的地位置と同じ位置にある、請求項１に記載のシステム。
【請求項３３】
前記プロバイダが、目的地位置から離れており、そして、前記プロバイダが、少なくとも１つの商品／サービスに関する注文をユーザから受信し、そして、実行のために目的地位置にある関係団体に注文を送信する、請求項１に記載のシステム。
【請求項３４】
前記注文が、顧客からインターネットリンクを介して前記プロバイダによって受信される、請求項３３に記載のシステム。
【請求項３５】
商品／サービスに関する追加情報が使用可能であることを示すプログラム信号内の表示の受信の際に、前記商品／サービスを受け取るユーザ要求に応答して、前記プログラム信号内で提供されるアドレスに関係する目的地位置でのユーザに、前記商品／サービスの提供を促進する方法であって、
プログラム信号で提供されたプログラムに関連したアドレスに関する、ユーザが関心を示した追加情報を受信し、
前記追加情報をユーザに呈示し、
前記追加情報に関係するプロバイダによって提供される少なくとも１つの商品／サービスの前記ユーザによる選択を受け取り、
前記ユーザの識別子にアクセスし、
前記追加情報を受信するユーザの現在位置を決定し、
前記現在位置、選択、及び、識別子を前記プロバイダに通信し、
前記プロバイダからの前記アドレスに関連する目的地位置の識別を受信し、
前記目的地位置の識別を前記ユーザに提供する
ステップを含み、前記目的地位置への到着時に、前記ユーザ識別子が検証され、そして、前記ユーザが、促進されたベースで前記ユーザによって選択された前記商品／サービスを提供されるところの方法。
【請求項３６】
前記プログラム信号が、ラジオ放送信号及びテレビジョン放送信号からなる群から選択された少なくとも１つである、請求項３５に記載の方法。
【請求項３７】
前記プログラム信号が、オーディオ信号、ビデオ信号、及び、組み合わされたオーディオ及びビデオ信号からなる群から選択された少なくとも１つの信号を含む、請求項３５に記載の方法。
【請求項３８】
前記追加情報が、前記プログラムに関係するアドレスへの関心を前記ユーザが示す時に受信され、前記方法が、
前記プログラム信号を受信するステップと、
前記プログラム信号内で提供されるプログラムに関するアドレスを受信するステップと、
前記追加情報が使用可能であることの前記ユーザへの表示を生成するステップと、
前記追加情報を得るコマンドを前記ユーザから受け取るステップと、
前記追加情報の前記プロバイダとの通信リンクを確立するステップと
を更に含む、請求項３５に記載の方法。
【請求項３９】
前記アドレスが、前記プログラム信号に埋め込まれ、そして、前記方法が、前記プログラム信号から前記アドレスを抽出することを更に含む、請求項３８に記載の方法。
【請求項４０】
前記アドレスが、前記プログラム信号と独立に受信される、請求項３８に記載の方法。
【請求項４１】
前記プログラム信号が、衛星信号である、請求項３５に記載の方法。
【請求項４２】
前記アドレスが、インターネット、私有ネットワーク、及び、固定通信接続からなる群から選択された少なくとも１つのネットワークに関連するアドレスを更に含む、請求項３５に記載の方法。
【請求項４３】
前記プログラム信号が、前に記録された信号である、請求項３５に記載の方法。
【請求項４４】
前記アドレスが、更に、インターネットアドレスを含む、請求項３５に記載の方法。
【請求項４５】
前記インターネットアドレスが、私有ネットワーク及び公衆ネットワークの少なくとも１つを介してアクセスされる、請求項４４に記載の方法。
【請求項４６】
前記インターネットアドレスが、インターネットポータルを介してアクセスされ、そして、前記追加情報が、前記インターネットアドレスにあるインターネットサービスプロバイダによってホストされるウェブページである、請求項４４に記載の方法。
【請求項４７】
前記追加情報が、オーディオフォーマット、ビデオフォーマット、グラフィカルフォーマット、及び、マルチメディアフォーマットからなる群から選択された少なくとも１つのフォーマットで前記ユーザに呈示される、請求項３５に記載の方法。
【請求項４８】
前記追加情報に関係するプロバイダによって提供される少なくとも１つの商品／サービスのユーザによる選択が、ユーザインターフェース手段を介して受け取られる、請求項３５に記載の方法。
【請求項４９】
前記ユーザの識別子が、ディジタルバーサタイルディスク、コンパクトディスク、ビデオテープ、磁気テープ、ハードディスクドライブ、光学記憶手段、磁気記憶手段、ポータブル不揮発性記憶手段、連続的に電力を与えられる揮発性記憶手段、メモリカード、リモートデータベース、及び、ローカルデータベースからなる群から選択されたデータ記憶手段からアクセスされる、請求項３５に記載の方法。
【請求項５０】
前記ユーザの識別子が、ユーザ識別情報、支払い情報、位置情報、ユーザプリファレンス、及び配送情報からなる群から選択された少なくとも１つの発生情報を更に含む、請求項３５に記載の方法。
【請求項５１】
前記プログラム信号が、データ記憶手段に記憶され、そして、前記方法が、前記データ記憶手段から前記プログラム信号を検索し、そして、前記プログラム信号を前記ユーザに呈示することを更に含む、請求項３５に記載の方法。
【請求項５２】
前記追加情報が、データ記憶手段に記憶され、そして、データ記憶手段から受信される、請求項３５に記載の方法。
【請求項５３】
前記追加情報が、携帯型情報機器、小型携帯移動電話機、無線遠隔通信手段、パームデバイス、有線遠隔通信手段、ラジオ、コンピュータワークステーション、セットトップボックス、テレビジョン、及び、放送信号の受信器からなる群から選択された少なくとも１つの装置を介して受信される、請求項３５に記載の方法。
【請求項５４】
前記装置が、表示画面、スピーカ、及びヘッドセットの少なくとも１つを更に含み、これを介して前記追加情報が前記ユーザに呈示される、請求項５３に記載の方法。
【請求項５５】
前記装置が、自動車内に配置される、請求項５３に記載の方法。
【請求項５６】
前記装置が、ハンドヘルドデバイスである、請求項５３に記載の方法。
【請求項５７】
前記ユーザの前記現在位置を決定するステップが、全世界測位システム、距離測定装置、信号の時間及び周波数に基づく変化、ロラン、無線周波数三角測量、ラジアルを伴う無線信号の交差、及び、９１１緊急システムに基づく位置識別からなる群から選択された少なくとも１つの位置測定手法を利用して実行される、請求項３５に記載の方法。
【請求項５８】
前記ユーザの前記現在位置を決定するステップが、
全世界測位衛星（ＧＰＳ）信号を受信し、そして、
前記ＧＰＳ信号に基づいて前記ユーザの前記現在位置を決定する
ことを更に含む、請求項３５に記載の方法。
【請求項５９】
前記ＧＰＳ信号に基づいて前記ユーザの現在位置を決定するステップが、
差動ＧＰＳ信号を受信するステップと、
前記ユーザの前記現在位置を決定するために、前記差動ＧＰＳ信号を前記ＧＰＳ信号と共に使用するステップと
を更に含む、請求項５８に記載の方法。
【請求項６０】
前記現在位置、選択、及び識別子を前記プロバイダに通信するステップが、無線遠隔通信システム、小型携帯移動電話機網、インターネット、私有ネットワーク、公衆ネットワーク、固定通信ネットワーク、及び、有線遠隔通信システムからなる群から選択された通信媒体を介して達成される、請求項３５に記載の方法。
【請求項６１】
前記アドレスに関連する目的地位置の識別を受信するステップが、
少なくとも１つの目的地位置の一覧表を得、
前記ユーザの前記現在位置に対して少なくとも１つの目的地位置の前記一覧表を比較し、そして、
前記一覧表から、前記ユーザの前記現在位置に最も近い目的地位置を識別することを更に含む、請求項３５に記載の方法。
【請求項６２】
前記ユーザの前記現在位置に最も近い目的地位置を識別するステップが、距離に基づく決定、通勤時間に基づく決定、経路に基づく決定、及び、時刻に基づく決定からなる群から選択された少なくとも１つの決定に基づいて行われる、請求項６１に記載の方法。
【請求項６３】
時刻に基づく前記決定が、前記ユーザの出発時刻、到着時刻、及び、帰還時間からなる群から選択された少なくとも１つの時間変数の検討を更に含む、請求項６２に記載の方法。
【請求項６４】
前記方法が、
位置が検討から除外される区域を事前に識別するステップと、
事前に識別された区域内の位置を目的地の一覧表から除外するステップと、
除外するステップが達成された後の前記一覧表内の残りの位置を、前記現在位置と比較するステップと、
前記残りの位置から前記現在位置に最も近い目的地を識別するステップと
を更に含む、請求項６１に記載の方法。
【請求項６５】
前記識別子が、前記ユーザの識別及び支払い情報を目的地位置へのユーザの到着時に自動的に決定できるようにするＭＯＴＥＳシステムとの互換性を有する、請求項３５に記載の方法。
【請求項６６】
前記方法が、前記ユーザが少なくとも１つの商品／サービスを促進して得るのに必要な少なくとも１つのトランザクション要件を更に含む、請求項３５に記載の方法。
【請求項６７】
すべてのトランザクション要件が、前記目的地位置への前記ユーザの到着に先立って達成される、請求項６６に記載の方法。
【請求項６８】
少なくとも１つのトランザクション要件が、前記目的地位置への前記ユーザの到着の時に達成される、請求項６６に記載の方法。
【請求項６９】
少なくとも１つのトランザクション要件が、少なくとも部分的に、ユーザ情報を電子的に前記プロバイダに供給することによって達成される、請求項６６に記載の方法。
【請求項７０】
少なくとも１つのトランザクション要件が、少なくとも部分的に、ユーザ情報を言語によって前記プロバイダに供給することによって達成される、請求項６６に記載の方法。
【請求項７１】
前記目的地位置の識別を前記ユーザに提供するステップが、前記現在位置から前記目的地位置への方位を提供することを更に含む、請求項３５に記載の方法。
【請求項７２】
方位を提供する前記ステップが、前記現在位置から前記目的地位置への推奨される経路を示す地図を生成するステップを更に含む、請求項７１に記載の方法。
【請求項７３】
前記ユーザに方位を提供するステップが、
前記アドレス及び前記現在位置をデータ処理センタに送信し、
前記データ処理センタとオンライン情報プロバイダとの間の通信リンクを介して、少なくとも１つの目的地位置の一覧表を含み、アドレスによって識別されるデータファイルにアクセスし、
前記現在位置に最も近い目的地位置を決定するために、少なくとも１つの目的地位置の前記一覧表を前記現在位置と比較し、
前記目的地位置から前記現在位置への方位を決定する地図作成プログラムに、最も近いものとして識別された目的地位置、及び、現在位置を供給し、そして、
前記地図作成プログラムによって決定された方位を、前記ユーザに提供する
ことを更に含む、請求項７１に記載の方法。
【請求項７４】
前記地図作成プログラムによって決定される方位が、地図として呈示され、前記方法が、ビデオ表示装置上で地図にオーバーレイされた方位を表示するステップを更に含む、請求項７３に記載の方法。
【請求項７５】
前記方法が、前記ユーザに前記目的地位置の識別を提供するステップの後に、
前記ユーザが前記現在位置から前記目的地位置に移動する際に前記ユーザの位置を監視し、
前記ユーザがユーザに提供され、前記現在位置から前記目的地位置への好ましい経路を示す方位からそれる時に、インジケータ信号を生成し、
新しい現在位置から前記目的地位置への方位の第２の組を生成し、そして、
方位の前記第２の組を前記ユーザに提供すること
を更に含む、請求項３５に記載の方法。
【請求項７６】
前記方法が、更に、更新をプロバイダに提供するステップを含み、前記更新が、前記ユーザの前記現在位置のより正確な推定値及び目的地位置への前記ユーザの到着の推定時刻を提供する、請求項７５に記載の方法。
【請求項７７】
前記方法が、
前記ユーザによって頻繁に訪問される位置のデータベースにアクセスし、
しばしば訪問される位置を前記データベースから選択し、
前記目的地位置から選択されたしばしば訪問される位置への方位を決定し、そして、
前記方位を前記ユーザに提供する
ことを更に含む、請求項３５に記載の方法。
【請求項７８】
商品／サービスに関する追加情報が使用可能であることを示すプログラム信号内の表示を受信した際に、商品／サービスを受け取るユーザ要求に応答して、プログラム信号内で提供されるアドレスに関係する位置でのユーザへの商品／サービスの提供を、
ユーザが関心を示し、前記プログラム信号で提供されたプログラムに関するアドレスに関連する追加情報を受信し、
前記追加情報を前記ユーザに呈示し、
前記追加情報に関係するプロバイダによって提供される少なくとも１つの商品／サービスの前記ユーザによる選択を受け取り、
前記ユーザの識別子にアクセスし、
前記追加情報を受信するユーザの現在位置を決定し、
前記現在位置、選択、及び、識別子を前記プロバイダに通信し、
前記プロバイダからの前記アドレスに関連する目的地位置の識別を受信し、そして、
前記目的地位置の識別を前記ユーザに提供する
ことによって前記商品／サービスの提供を促進させるための命令を含むコンピュータ読取り可能媒体であって、
前記目的地位置への到着時に、前記ユーザ識別子が検証され、そして、ＭＯＴＥＳシステムを介して促進されたベースで、前記ユーザによって選択された商品／サービスが前記ユーザに提供されるところのコンピュータ読取り可能媒体。
【請求項７９】
プログラム信号と、前記プログラム信号内のプログラムに関する追加情報を識別するアドレスとの受信に基づいて、商品／サービスを促進されたベースでユーザに提供し、そして、前記ユーザの現在位置から、前記追加情報のプロバイダと関連しているところの目的地位置への方位を決定するためのシステムであって、
ユーザシステムと、
プロバイダシステムと、
プログラム送信システムと、
位置決定システムと、
ユーザシステムを前記プロバイダシステムに接続する通信システムと、
トランザクション処理システムと
を含み、プログラムと、前記プログラムに関係する追加情報のプロバイダを識別するアドレスと、そして、ユーザによる前記追加情報の検索のコマンドとを含むプログラム信号の受信時に、前記ユーザシステムが、前記プロバイダとの通信リンクを確立し、前記追加情報を入手し、前記追加情報を前記ユーザに呈示し、そして、前記プロバイダによって提供される商品／サービスを獲得するための前記ユーザによる更なる要求の際に、前記トランザクション処理システムにアクセスし、そして、要求される商品／サービスに関する前記ユーザと前記プロバイダとの間のトランザクションを促進すると同時に、前記ユーザの現在位置から、前記要求を満足できる前記プロバイダと関連のある目的地位置への方位を前記ユーザに呈示するところのシステム。
【請求項８０】
前記ユーザシステムが、
前記プログラム送信システムによって送信されたプログラム信号であって、前記プログラム信号内のプログラムに関係する追加情報のプロバイダを識別するアドレスを含むところのプログラム信号を受信するプログラム信号受信ユニットと、
前記プロバイダと前記ユーザとの間の通信リンクを確立するための通信ユニットと、
ユーザインターフェース手段と、
ユーザの現在位置を決定するための全世界測位システム受信ユニットと、
プロバイダと提携する目的地位置へのユーザの到着時に前記プロバイダに対して前記ユーザを指定するＭＯＴＥＳインターフェース手段と、
前記ユーザシステムを制御するプロセッサと
を更に含み、前記プログラム信号から抽出されたアドレスを識別するインジケータ信号を選択するユーザコマンドの受取の際に、前記プロセッサが、抽出されたアドレスによって識別される追加情報のプロバイダとの通信リンクを確立し、前記プロバイダから前記追加情報を入手し、そして、前記追加情報を前記ユーザに呈示し、前記追加情報に関連し、且つ、前記プロバイダと提携する商品／サービスの獲得を望むことについてのユーザ表示の際に、前記プロセッサが、前記ＧＰＳ受信ユニットを介して前記ユーザの現在位置を入手し、そして、そのような現在値情報と商品／サービスを獲得する要求とを前記プロバイダに通信し、要求された商品／サービス又はその代替物を提供する目的地の指定についての、前記プロバイダからの戻り通信の受信時に、前記プロセッサが、方位情報を前記ユーザに通信し、そして、目的地の指定の前記ユーザによる受け入れの受取の際に、少なくとも１つのユーザ識別子を前記プロバイダに通信し、指定された位置への前記ユーザの到着時に、前記ユーザが、前記ＭＯＴＥＳインターフェース手段を介して前記プロバイダに対して自動的に識別される、請求項７９に記載のシステム。
【請求項８１】
前記ユーザ識別子が、ユーザ識別情報、支払い情報、位置情報、プリファレンス、及び、配送情報からなる群から選択された少なくとも１つの識別子を更に含む、請求項８０に記載のシステム。
【請求項８２】
前記ＭＯＴＥＳインターフェース手段が、プログラム信号を介してユーザインターフェースと自動的に通信する、請求項８０に記載のシステム。
【請求項８３】
前記プロバイダシステムが、
データ処理センタと、
位置注文プロセッサと、
ＭＯＴＥＳリーダと、
前記データ処理センタと前記位置注文プロセッサの間の通信リンクと
を更に含む、請求項７９に記載のシステム。
【請求項８４】
前記データ処理センタが、ユーザから追加情報の要求を受信する時に、ネットワーク接続を介してアクセス可能な少なくとも１つのデータベースにアクセスし、前記データベースから前記追加情報を検索し、そして、前記追加情報を前記ユーザシステムに通信する、請求項８３に記載のシステム。
【請求項８５】
前記ネットワークが、インターネット、イントラネット、私有ネットワーク、公衆ネットワーク、及び、固定通信ネットワークからなる群から選択された少なくとも１つである、請求項８４に記載のシステム。
【請求項８６】
前記データ処理センタが、迅速な形でユーザに提供するためにプロバイダによって使用可能にされる商品／サービスを決定する際に、広告主のサーバからの情報にアクセスする、請求項８３に記載のシステム。
【請求項８７】
前記位置注文プロセッサ及び前記データ処理センタが、同一の位置に配置される、請求項８３に記載のシステム。
【請求項８８】
前記ＭＯＴＥＳリーダが、目的地への車両の到着時に、前記ユーザに関連する前記車両によって生成される信号を自動的に検出するセンサを更に含む、請求項８３に記載のシステム。
【請求項８９】
前記データ処理センタと前記位置注文プロセッサとの間の前記通信リンクが、インターネット、イントラネット、私有ネットワーク、公衆ネットワーク、及び、固定通信ネットワークからなる群から選択された少なくとも１つを介して確立されるネットワーク接続を更に含む、請求項８３に記載のシステム。
【請求項９０】
前記プログラム送信システムが、放送テレビジョン、放送ラジオ、ケーブル、衛星、無線遠隔通信リンク、インターネット、私有ネットワーク、公衆ネットワーク、及び、無線ネットワークからなる群から選択された少なくとも１つのシステムを更に含む、請求項７９に記載のシステム。
【請求項９１】
前記プログラム信号が、ラジオプログラム、テレビジョンプログラム、広告、ゲームショウプログラム、スポーツプログラム、音楽プログラム、音楽ビデオプログラム、ニュースプログラム、及び、映画プログラムからなる群から選択された少なくとも１つを更に含む、請求項７９に記載のシステム。
【請求項９２】
前記位置決定システムが、ＧＰＳ受信器と、差動ＧＰＳ受信器と、住所と、交差点と、緯度及び経度と、既知の位置からの時間、距離、及び方向の測定値とからなる群から選択されたシステムを介して決定される位置決定を利用する、請求項７９に記載のシステム。
【請求項９３】
前記ユーザシステムと前記プロバイダシステムとを接続する前記通信システムが、更に、無線通信リンクを含む、請求項７９に記載のシステム。
【請求項９４】
前記トランザクション処理システムが、更に、ＭＯＴＥＳ処理システムを含む、請求項７９に記載のシステム。
【請求項９５】
プログラム信号に関係する追加情報が使用可能であることの表示を含む前記プログラム信号の受信に応答して、そして、ユーザの現在位置からプロバイダに関連する目的地位置までの方位の受取り時に、前記プロバイダによって提供される少なくとも１つの商品／サービスの購入を望むことについての前記ユーザによる表示の際に、前記プロバイダによる前記ユーザへの少なくとも１つの商品／サービスの提供を促進する方法であって、
プログラム信号を受信し、
前記プログラム信号に関係する追加情報が使用可能であることのインジケータを受け取り、
情報に関する前記ユーザからの要求であって、第１位置の識別、及び、プログラム信号と共に前記ユーザによって受信されたアドレスを含むところの要求をプロバイダに通信し、
プロバイダからの獲得のために使用可能な少なくとも１つの商品／サービスの表示を含む前記追加情報に、ユーザコマンドの際にアクセスし、
前記プロバイダによって提供される少なくとも１つの商品／サービスを選択し、
前記第１位置に基づいて、前記アドレスに関連する目的地を識別し、
前記第１位置から前記目的地への方位を提供し、そして、
前記目的地への前記ユーザの到着時に、識別された商品／サービスのユーザへの提供を促進するために利用されるユーザ識別子を前記目的地に通信する
こと
を含む方法。
【請求項９６】
前記プログラム信号が、ケーブル、衛星、放送ラジオ、放送テレビジョン、インターネット、イントラネット、私有ネットワーク、遠隔通信システム、無線遠隔通信ネットワーク、公衆ネットワーク、及び、固定通信ネットワークからなる群から選択された少なくとも１つの通信媒体を介して受信される、請求項９５に記載の方法。
【請求項９７】
前記インジケータが、可聴信号、視覚信号、及び、触覚信号の少なくとも１つとして受け取られる、請求項９５に記載の方法。
【請求項９８】
ＧＰＳと、差動ＧＰＳと、住所と、交差点と、緯度及び経度と、既知の位置からの時間、距離、及び方向の測定値とからなる群から選択された少なくとも１つの決定方法を利用して、前記ユーザの前記第１位置を決定することを更に含む、請求項９５に記載の方法。
【請求項９９】
追加情報の前記要求が、無線ネットワークを介して通信される、請求項９５に記載の方法。
【請求項１００】
追加情報の前記要求が、インターネット接続を介して通信される、請求項９５に記載の方法。
【請求項１０１】
プロバイダによって提供される少なくとも１つの商品／サービスを選択するステップが、
前記プロバイダによって現在提供される販売促進された商品／サービスの表示を受け取り、
前記プロバイダによって提供される少なくとも１つの商品／サービスのメニュー一覧表を受け取り、
前記販売促進された商品／サービス及び前記メニューにリストされた商品／サービスのうちの少なくとも１つを選択し、
前記プロバイダに商品／サービスの選択を通信し、そして、
商品／サービスを提供し、そして、前記ユーザが前記商品／サービスを受け取るのに最も便利な少なくとも１つの位置を決定する
ことを更に含む、請求項９５に記載の方法。
【請求項１０２】
前記方位が、地図、インジケータ信号、可聴、視覚、及び書かれたものからなる群から選択された少なくとも１つの形で提供される、請求項９５に記載の方法。
【請求項１０３】
前記ユーザ識別子が、前記ユーザによる商品／サービスの選択の時に通信される、請求項９５に記載の方法。
【請求項１０４】
前記ユーザ識別子が、前記目的地への前記ユーザの到着時に通信される、請求項９５に記載の方法。
【請求項１０５】
前記ユーザ識別子が、自動的に通信される、請求項９５に記載の方法。
【請求項１０６】
前記ユーザ識別子が、前記ユーザからのコマンドの際に通信される、請求項９５に記載の方法。
【請求項１０７】
前記ユーザ識別子が、ＭＯＴＥＳシステムを介して通信される、請求項９５に記載の方法。
【請求項１０８】
前記ユーザ識別子が、インターネット、イントラネット、私有ネットワーク、公衆ネットワーク、固定通信ネットワーク、無線遠隔通信リンク、及び、無線ネットワークからなる群から選択された少なくとも１つを介して通信される、請求項９５に記載の方法。
【請求項１０９】
前記ユーザ識別子が、更に、ユーザ支払い情報を含み、もって、前記目的地への前記ユーザの到着時に、商品／サービスに関する支払いが自動的に達成される、請求項９５に記載の方法。
【請求項１１０】
前記第１位置に基づいて前記アドレスに関連する目的地を識別する前記ステップが、
前記アドレスによって識別されるデータファイルにアクセスするステップと、
前記ユーザによって選択された商品／サービスの入手可能性を決定するステップと、
前記商品／サービスの配送に関する推定待ち時間を決定するステップと、
前記第１位置、前記入手可能性、及び、前記推定待ち時間に基づいて前記データファイルから目的地を選択するステップと
を更に含み、前記目的地への前記ユーザの到着時に、前記商品／サービスが、前記ユーザへの促進された提供のために使用可能である、請求項９５に記載の方法。
【請求項１１１】
前記データファイルが、インターネットサービスプロバイダによってホストされるインターネットサイトを更に含む、請求項１１０に記載の方法。
【請求項１１２】
少なくとも１つの商品／サービスをユーザに提供するためのプロバイダシステムであり、前記ユーザによって選択された前記商品／サービスが、追加情報に関するプログラムと関連しており、前記プログラムがユーザシステムによって受信され、もって、プロバイダと提携する目的地位置への方位及び前記目的地位置への到着時の前記ユーザへの前記商品／サービスの促進された提供が、前記追加情報を受信し、そして、関係する商品／サービスを獲得する前記ユーザからのコマンドの受信時に前記ユーザにもたらされるプロバイダシステムであって、
プログラム信号で受信されたプログラムに関係する商品／サービスに関するユーザからの要求を受信する位置注文プロセッサと、そして、
ＭＯＴＥＳリーダと
を含み、前記商品／サービスに関するユーザからの要求の受信時に、前記位置注文プロセッサが、前記目的地への前記ユーザの到着の推定時刻に基づいて注文を準備するように前記目的地位置に指示し、そして、前記目的地への前記ユーザの到着及び前記ＭＯＴＥＳリーダによる前記ユーザの検出時に、前記商品／サービスが前記ユーザへの促進された提供の準備ができているように、少なくとも１つのトランザクション要件を促進する
ところのプロバイダシステム。
【請求項１１３】
前記商品／サービスに関する前記ユーザからの前記要求及び前記ユーザの現在位置を受信し、そして、どのプロバイダが前記ユーザの要求を最もよく満たすことができるかを決定するデータ処理センタから前記要求が受信される、請求項１１２に記載のプロバイダシステム。
【請求項１１４】
前記ＭＯＴＥＳリーダが、前記ユーザによって使用される車両から受信される電磁信号を介して前記ユーザの到着を検出する、請求項１１２に記載のプロバイダシステム。
【請求項１１５】
前記ＭＯＴＥＳリーダが、前記目的地への到着時に前記ユーザから受信されるコードを介して前記ユーザの到着を検出する、請求項１１２に記載のプロバイダシステム。
【請求項１１６】
前記ＭＯＴＥＳリーダが、前記目的地への前記ユーザの到着時に少なくとも１つのトランザクション要件を自動的に処理する、請求項１１２に記載のプロバイダシステム。
【請求項１１７】
前記トランザクション要件が、請求及び支払い情報を含む、請求項１１６に記載のプロバイダシステム。
【請求項１１８】
通信手段と、
データファイルアクセス手段と、そして、
データプロセッサと
を含むデータ処理センタであって、第１位置の指定、ユーザが獲得を望む少なくとも１つの商品／サービスの指定、及び、アドレスを、前記ユーザから通信手段を介して受信する際に、前記データプロセッサが、指定された商品／サービスを迅速に供給することができる少なくとも１つの目的地の識別を提供するアドレスによって識別されたデータファイルを検索するように前記データファイルアクセス手段に指示し、前記データファイルの内容及び前記第１位置に基づいて少なくとも１つの目的地を決定し、前記通信手段を介して前記ユーザに決定の結果を返し、そして、前記ユーザによる決定の結果の受け入れの際に、前記目的地への到着時の前記ユーザへの商品／サービスの配送を促進するために必要なトランザクション要件を自動的に完了するところのデータ処理センタ。
【請求項１１９】
前記通信手段が、前記ユーザと前記データプロセッサとの間の無線通信リンクの確立を容易にする、請求項１１８に記載のデータ処理センタ。
【請求項１２０】
前記データファイルアクセス手段が、前記アドレスによって識別されるオンライン情報プロバイダとの通信リンクを確立し、そして、前記オンライン情報プロバイダから前記データファイルを検索する、請求項１１８に記載のデータ処理センタ。
【請求項１２１】
前記通信リンクが、インターネット、私有ネットワーク、公衆ネットワーク、及び、ダイヤルアップ接続からなる群から選択された少なくとも１つを使用して確立される接続を更に含む、請求項１２０に記載のデータ処理センタ。
【請求項１２２】
前記データプロセッサが、更に、顧客サービス代理人を含み、そして、前記データファイルアクセス手段が、更に、コンピュータワークステーションを含み、前記顧客サービス代理人が、第１位置、所望の商品／サービス、及びアドレスの指定を前記ユーザから受信する際に、要求された商品／サービスの促進された提供が可能としてデータファイル内で前記アドレスによって識別される少なくとも１つの目的地の識別を検索するためにコンピュータワークステーションを利用し、そして、前記ユーザに前記目的地の位置を通信する、請求項１２０に記載のデータ処理センタ。
【請求項１２３】
前記顧客サービス代理人が、前記ユーザに、前記第１位置から目的地への方位を提供する、請求項１２２に記載のデータ処理センタ。
【請求項１２４】
前記方位が、前記ユーザに電子的に通信される、請求項１１８に記載のデータ処理センタ。
【請求項１２５】
前記データプロセッサが、要求を自動的に受信し、そして、前記ユーザに商品／サービスを迅速に提供するために必要な少なくとも１つのトランザクション要件を処理する、自動化されたデータ処理センタを更に含む、請求項１１８に記載のデータ処理センタ。
【請求項１２６】
前記自動化されたデータ処理センタが、更に、ＭＯＴＥＳ処理システムを含む、請求項１２５に記載のデータ処理センタ。
【請求項１２７】
ユーザの現在位置及び商品／サービスに関連し、プログラム信号と共に提供されるアドレスに基づく目的地の決定に基づいて、前記ユーザへの少なくとも１つの商品／サービスの提供を促進するコンピュータシステムであって、
ユーザと前記コンピュータシステムとの間及び前記コンピュータシステムと少なくとも１つのオンライン情報プロバイダとの間の通信接続性を確立する通信コンポーネントと、
前記ユーザから受信されたアドレスに基づいて、交信するオンライン情報プロバイダを決定し、前記通信コンポーネントを介する前記オンライン情報プロバイダとの接続を確立し、そして、前記オンライン情報プロバイダに関連する少なくとも１つの目的地の一覧表を検索するアドレス処理コンポーネントと、
前記アドレス処理コンポーネントから少なくとも１つの目的地の一覧表を受け取り、そして、最終目的地として少なくとも１つの目的地を識別する目的地選択コンポーネントと、
前記最終目的地及び前記現在位置を受け取り、前記現在位置から前記最終目的地への方位を生成し、そして、ユーザへの通信のために方位生成の結果を前記通信コンポーネントに供給する地図作成コンポーネントと、そして、
前記ユーザによる商品／サービスに関する要求に応答して、前記目的地で前記ユーザに少なくとも１つの商品／サービスを迅速に提供するために必要な少なくとも１つのトランザクションコンポーネントの処理を促進するトランザクション促進処理コンポーネントと
を含むコンピュータシステム。
【請求項１２８】
前記通信コンポーネントが、前記コンピュータシステム内に設けられるモデムの動作を制御する、請求項１２７に記載のコンピュータシステム。
【請求項１２９】
前記アドレス処理コンポーネントが、インターネット接続、私有ネットワーク接続、公衆ネットワーク接続、及び、ダイヤルアップ接続からなる群から選択された接続を介する、前記コンピュータシステムと少なくとも１つのオンライン情報プロバイダとの間の接続性を、前記通信コンポーネントを介して確立するウェブブラウザを更に含む、請求項１２７に記載のコンピュータシステム。
【請求項１３０】
前記目的地選択コンポーネントが、目的地のそれぞれと前記現在位置との間の通勤時間、通勤距離、及び、推奨される経路からなる群から選択された少なくとも１つのパラメータに基づいて最終目的地として目的地を識別する、請求項１２７に記載のコンピュータシステム。
【請求項１３１】
トランザクション促進処理コンポーネントが、更に、ＭＯＴＥＳシステムを含む、請求項１２７に記載のコンピュータシステム。
【請求項１３２】
前記ＭＯＴＥＳシステムが、支払い情報、ユーザ識別、ユーザプリファレンス、及び、配送情報からなる群から選択された前記ユーザに関する情報を処理する、請求項１３１に記載のコンピュータシステム。
【請求項１３３】
プログラム信号内でユーザによって受信され、少なくとも１つの商品／サービスに関連する追加情報のプロバイダを識別するアドレスによって識別される目的地への第１位置からの方位の決定に基づいて、少なくとも１つの商品／サービスの提供を促進するために使用される命令を含むプログラムコードを含むコンピュータ読取り可能媒体であって、
アドレスのデータファイルと、
前記アドレスに対応する目的地のデータファイルと、
前記目的地のうちの少なくとも１つに関連する少なくとも１つの商品／サービスのデータファイルと、そして、
少なくとも１つのユーザ識別子のデータファイルと
を含み、前記アドレス及びユーザ識別子の受信の際に、前記少なくとも１つの商品／サービスの提供を、前記データファイルから検索された目的地で促進することができる
ところのコンピュータ読取り可能媒体。
【請求項１３４】
前記媒体が、コンパクトディスク、ディジタルバーサタイルディスク、ハードディスクドライブ、ランダムアクセスメモリ、読取専用メモリ、ポータブル不揮発性記憶手段、連続的に電力を与えられる揮発性記憶手段、光学記憶手段、及び、磁気記憶手段からなる群から選択された１つである、請求項１３３に記載のコンピュータ読取り可能媒体。
【請求項１３５】
プログラム信号に関係するアドレスに関連する少なくとも１つの商品／サービスの提供を促進するために使用される情報を伝送するための信号であって、
ユーザがプログラム信号と共に受信したアドレスを識別する第１部分と、
第１位置を識別する第２部分と、
目的地を識別する第３部分と、そして、
少なくとも１つのユーザ識別子を識別する第４部分と
を含み、前記少なくとも１つのユーザ識別子が、前記アドレス及び前記目的地に関係する少なくとも１つの商品／サービスの提供を促進するために使用されるところの信号。
【請求項１３６】
前記情報が、無線遠隔通信リンクを介して送信される、請求項１３５に記載の信号。
【請求項１３７】
前記情報が、ハードワイヤード接続を介して送信される、請求項１３５に記載の信号。
【請求項１３８】
前記第２部分が、ＧＰＳに基づく、ユーザの現在位置の識別を更に含む、請求項１３５に記載の信号。
【請求項１３９】
前記第２部分が、ＤＭＥ決定と、ロラン測定と、９１１緊急システムに基づく測定と、交差点識別と、目印指定と、住所指定と、緯度及び経度の測定と、既知の位置からの時間、距離、及び方向の計算とからなる群から選択された１つを利用して決定される位置に基づく前記ユーザの現在位置の識別を更に含む、請求項１３５に記載の信号。
【請求項１４０】
前記第１部分が、インターネット接続、私有ネットワーク接続、公衆ネットワーク接続、直接ハードワイヤード接続、及び、ダイヤルアップ接続からなる群から選択された接続を介してアクセス可能なオンライン情報プロバイダに関連するアドレスを識別する、請求項１３５に記載の信号。
【請求項１４１】
データ構造を含む、データ処理センタによって利用されるコンピュータ読取り可能データ伝送媒体であって、前記データ構造が、
ユーザがプログラム信号と共に受信したアドレスを識別する第１部分と、
第１部分を識別する第２部分と、
目的地を識別する第３部分と、そして、
少なくとも１つのユーザ識別子を識別する第４部分と
を含み、前記少なくとも１つのユーザ識別子が、前記アドレス及び前記目的地に関係する少なくとも１つの商品／サービスの提供を促進するために利用されるところのコンピュータ読取り可能データ伝送媒体。
【請求項１４２】
前記第２部分が、地図上に設けられる方位を更に含む、請求項１４１に記載のコンピュータ読取り可能データ伝送媒体。
【請求項１４３】
前記第２部分が、言語によって提供される方位を更に含む、請求項１４１に記載のコンピュータ読取り可能データ伝送媒体。
【請求項１４４】
前記第２部分が、テキストフォーマットで提供される方位を更に含む、請求項１４１に記載のコンピュータ読取り可能データ伝送媒体。
【請求項１４５】
前記データ伝送媒体が、無線通信リンクを介して前記データ処理センタからユーザに通信される、請求項１４１に記載のコンピュータ読取り可能データ伝送媒体。
【請求項１４６】
前記データ伝送媒体が、前記データ処理センタに配置されたローカル記憶手段によって生成され、そして、前記ローカル記憶手段からユーザに送信される、請求項１４１に記載のコンピュータ読取り可能データ伝送媒体。
【請求項１４７】
プログラム信号と共に送信され、ユーザのシステムによって受信されるアドレスで、前記ユーザのシステムに対して識別される追加情報に関係する目的地におけるプロバイダによる前記ユーザへの少なくとも１つの商品／サービスの提供を促進するために、少なくとも１つのユーザ識別子を通信する、コンピュータシステムにおける方法であって、
前記アドレス及び第１位置を前記ユーザのシステムから受信し、
前記アドレスに関係する前記プロバイダによって提供される少なくとも１つの商品／サービスを識別し、
前記アドレスと、少なくとも１つの商品／サービスに関する前記ユーザからの要求との受信に応答して、
前記アドレスに関連するオンライン情報プロバイダとの通信接続を確立し、
前記ユーザによって要求された少なくとも１つの製品／サービスを提供する少なくとも１つのプロバイダを決定し、
前記オンライン情報プロバイダによって提供される少なくとも１つの目的地を検索し、
前記第１位置及び前記少なくとも１つの商品／サービスに関する前記要求の受信に応答して、
要求された商品／サービスを提供する検索された目的地のどれが第１位置に最も近いかを決定し、そして、
前記決定の結果を前記ユーザのシステムに送信する
ことを含み、前記結果が、要求された少なくとも１つの商品／サービスを促進されたベースで前記ユーザに提供する目的地を識別するところの方法。
【請求項１４８】
前記方法が、前記オンライン情報プロバイダによって提供される各目的地を前記ユーザのシステムに送信するステップを更に含む、請求項１４７に記載の方法。
【請求項１４９】
検索された目的地のどれが前記第１位置に最も近いかを決定する前記ステップが、通勤時間、通勤距離、及び、好ましい経路からなる群から選択された少なくとも１つの変数に基づいて決定される、請求項１４７に記載の方法。
【請求項１５０】
前記第１位置が、ＧＰＳ測定と、ＤＭＥ決定と、ロラン測定と、９１１緊急システムに基づく測定と、交差点識別と、目印指定と、住所指定と、緯度及び経度の測定と、既知の位置からの時間、距離、及び方向の計算とからなる群から選択された少なくとも１つを利用して達成される位置決定に基づく、請求項１４７に記載の方法。
【請求項１５１】
ユーザとアクセスシステムとの間のインターフェースを提供するユーザインターフェースであり、前記アクセスシステムが、プログラム信号と共に送信されるアドレスと、第１位置とを受け取り、ユーザインターフェースの前記第１位置に基づく前記アドレスに関連する目的地の表示を前記ユーザに提供し、そして、前記目的地での前記ユーザによる少なくとも１つの商品／サービスの獲得に必要な少なくとも１つのトランザクション要素を促進するユーザインターフェースであって、
ユーザ入力手段と、そして、
ユーザ出力手段と
を含み、前記ユーザ入力手段が、プログラム信号から前記アクセスシステムによって抽出されたアドレスに関係する追加情報をユーザが要求することを可能にし、そして、前記ユーザ出力手段が、前記ユーザが前記追加情報を受け取れることを可能にするところのユーザインターフェース。
【請求項１５２】
前記ユーザ入力手段が、キーボード、押しボタン、計算装置、マイクロホン、音声認識システム、及び、マウスからなる群から選択される、請求項１５１に記載のユーザインターフェース。
【請求項１５３】
前記ユーザ出力手段が、フラットスクリーンディスプレイ、ＬＥＤディスプレイ、プリンタ、地図生成装置、テレビジョンモニタ、オーディオ呈示及び受取装置、ヘッドアップディスプレイ、及び、視覚インジケータからなる群から選択される、請求項１５１に記載のユーザインターフェース。
【請求項１５４】
商品／サービスのプロバイダに関連する前記商品／サービスを受け取るユーザ要求に応答して、ユーザへの前記商品／サービスの提供を促進する方法であり、前記プロバイダに関係する追加情報の表示が、前記ユーザによって受信されるプログラム信号で提供されるところの方法であって、
プログラム信号で提供されたプログラムに関連したアドレスに関する、ユーザが関心を示した追加情報を受信し
前記追加情報を前記ユーザに呈示し、
前記追加情報に関係するプロバイダによって提供される少なくとも１つの商品／サービスのユーザによる選択を受け取り、
前記ユーザの識別子にアクセスし、
前記選択及び前記識別子を前記プロバイダに通信し、
前記プロバイダに関連する目的地位置の識別を受信し、
前記目的地位置の識別を前記ユーザに提供し、そして、
ＭＯＴＥＳシステムを介する前記目的地位置での前記ユーザによる商品／サービスの獲得を促進する
ことを含む方法。
【請求項１５５】
前記追加情報が、前記プログラムに関係するアドレスへの関心を前記ユーザが示す時に受信され、前記方法が、
前記プログラム信号を受信するステップと、
前記プログラム信号内で提供されるプログラムに関するアドレスを受信するステップと、
前記追加情報が使用可能であることの前記ユーザへの表示を生成するステップと、
前記追加情報を得るコマンドを前記ユーザから受け取るステップと、そして、
前記追加情報の前記プロバイダとの通信リンクを確立するステップと
を更に含む、請求項１５４に記載の方法。
【請求項１５６】
前記アドレスが、前記プログラム信号に埋め込まれ、そして、前記方法が、前記プログラム信号から前記アドレスを抽出することを更に含む、請求項１５５に記載の方法。
【請求項１５７】
前記方法が、前記ユーザの現在位置を決定するステップを更に含む、請求項１５４に記載の方法。
【請求項１５８】
前記ユーザの現在位置を決定する前記ステップが、ＧＰＳ信号に基づく、請求項１５７に記載の方法。
【請求項１５９】
前記ＭＯＴＥＳシステムが、前記目的地位置への前記ユーザの到着時に、前記ユーザの識別及び支払い情報を自動的に決定できるようにする、請求項１５４に記載の方法。
【請求項１６０】
前記ＭＯＴＥＳシステムが、前記目的地位置への前記ユーザの到着に先立って、前記ユーザの識別及び支払い情報を自動的に決定できるようにする、請求項１５４に記載の方法。
【請求項１６１】
前記ＭＯＴＥＳシステムが、前記目的地位置への前記ユーザの到着の後に、前記ユーザの識別及び支払い情報を自動的に決定できるようにする、請求項１５４に記載の方法。
【請求項１６２】
商品／サービスに関係する追加情報が使用可能であることのプログラム信号内の表示の受信時に、前記商品／サービスを受け取るユーザ要求に応答して、プログラム信号で提供されるアドレスに関係する位置によるユーザへの商品／サービスの提供を、
ユーザが関心を示し、プログラム信号で提供されたプログラムに関するアドレスに関する追加情報を受信し、
前記追加情報を前記ユーザに呈示し、
前記追加情報に関係するプロバイダによって提供される少なくとも１つの商品／サービスのユーザによる選択を受け取り、
前記ユーザの識別子にアクセスし、
前記選択及び前記識別子をプロバイダに通信し、
前記プロバイダからの前記アドレスに関連する目的地位置の識別を受信し、
前記目的地位置の識別を前記ユーザに提供し、そして、
ＭＯＴＥＳシステムを介する前記目的地位置での前記ユーザによる前記商品／サービスの獲得を促進する
ことによって促進する命令を含むコンピュータ読取り可能媒体。
【請求項１６３】
前記追加情報が、前記プログラムに関係するアドレスへの関心を前記ユーザが示す時に受信され、そして、前記方法が、
前記プログラム信号を受信するステップと、
前記プログラム信号内で提供されるプログラムに関するアドレスを受信するステップと、
前記追加情報が使用可能であることの前記ユーザへの表示を生成するステップと、
前記追加情報を得るコマンドを前記ユーザから受け取るステップと、そして、
前記追加情報のプロバイダとの通信リンクを確立するステップと
を更に含む、請求項１６２に記載の方法。
【請求項１６４】
前記アドレスが、前記プログラム信号に埋め込まれ、そして、前記方法が、前記プログラム信号から前記アドレスを抽出することを更に含む、請求項１６３に記載の方法。
【請求項１６５】
前記方法が、前記ユーザの現在位置を決定するステップを更に含む、請求項１６２に記載の方法。
【請求項１６６】
前記ユーザの現在位置を決定する前記ステップが、ＧＰＳ信号に基づく、請求項１６５に記載の方法。
【請求項１６７】
前記ＭＯＴＥＳシステムが、前記目的地位置への前記ユーザの到着時に、前記ユーザの識別及び支払い情報を自動的に決定できるようにする、請求項１６２に記載の方法。
【請求項１６８】
前記ＭＯＴＥＳシステムが、前記目的地位置への前記ユーザの到着に先立って、前記ユーザの識別及び支払い情報を自動的に決定できるようにする、請求項１６２に記載の方法。
【請求項１６９】
前記ＭＯＴＥＳシステムが、前記目的地位置への前記ユーザの到着の後に、前記ユーザの識別及び支払い情報を自動的に決定できるようにする、請求項１６２に記載の方法。
【請求項１７０】
プログラム信号と、前記プログラム信号内のプログラムに関する追加情報を識別するアドレスとの受信に基づいて、目的地位置で促進されたベースでユーザに商品／サービスを提供するシステムであって、
ユーザシステムと、
プロバイダシステムと、
プログラム送信システムと、
前記ユーザシステムを前記プロバイダシステムに接続する通信システムと、そして、
トランザクション処理システムと
を含み、プログラム、前記プログラムに関係する追加情報のプロバイダを識別するアドレス、及び、ユーザによる追加情報の検索のコマンドの受信時に、前記ユーザシステムが、前記プロバイダシステムとの通信リンクを確立し、前記追加情報を入手し、前記追加情報を前記ユーザに呈示し、前記プロバイダシステムと提携するプロバイダによって提供される商品／サービスを獲得するための前記ユーザによるさらなる要求の際に、前記トランザクション処理システムにアクセスし、そして、前記ユーザと、要求される商品／サービスに関するプロバイダとの間のトランザクションを促進するところのシステム。
【請求項１７１】
プログラム信号に関係する追加情報が使用可能であることの表示を含むプログラム信号の受信に応答して、そして、プロバイダに関連する目的地位置の表示の受信時に前記プロバイダによって提供される少なくとも１つの商品／サービスの購入を希望する旨のユーザによる表示の際に、前記プロバイダによる前記ユーザへの少なくとも１つの商品／サービスの提供を促進する方法であって、
プログラム信号を受信し、
前記プログラム信号に関係する追加情報が使用可能であることのインジケータを受け取り、
前記プログラム信号と共に前記ユーザによって受信されたアドレスを含む、情報に関するユーザからの要求をプロバイダに通信し、
前記プロバイダからの獲得のために使用可能な少なくとも１つの商品／サービスの表示を含む前記追加情報にアクセスし、
前記プロバイダによって提供される少なくとも１つの商品／サービスを選択し、
少なくとも１つの選択された商品／サービスを得ることができる目的地を識別し、そして、
前記ユーザへの識別された商品／サービスの提供を促進するために使用されるユーザ識別子を目的地に通信する
ことを含む方法。
【請求項１７２】
前記ユーザ識別子が、ＭＯＴＥＳシステムを介して通信される、請求項１７１に記載の方法。
【請求項１７３】
前記プロバイダによって提供される少なくとも１つの商品／サービスを選択する前記ステップが、
前記プロバイダによって提供される販売促進される商品／サービスの表示を受け取り、
前記プロバイダによって提供される少なくとも１つの商品／サービスのメニュー一覧表を受け取り、
販売促進される商品／サービスのうちの少なくとも１つ、及び、前記メニューにリストされた単一の商品／サービスを選択し、そして、
前記プロバイダに前記商品／サービスの前記選択を通信すること
を更に含む、請求項１７１に記載の方法。
【請求項１７４】
商品／サービスに関係し、プログラム信号と共に供給されるアドレスに基づいて少なくとも１つの商品／サービスのユーザへの提供を促進するコンピュータシステムであって、
ユーザとコンピュータシステムとの間及び前記コンピュータシステムと少なくとも１つのオンライン情報プロバイダとの間の通信接続性を確立する通信コンポーネントと、
前記ユーザから受信したアドレスに基づいて交信するオンライン情報プロバイダを決定し、前記通信コンポーネントを介して前記オンライン情報プロバイダとの接続を確立し、そして、前記オンライン情報プロバイダに関連する少なくとも１つの商品／サービスの一覧表を検索するアドレス処理コンポーネントと、
ユーザの要求時の前記ユーザへの少なくとも１つの商品／サービスの促進された提供に必要な少なくとも１つのトランザクションコンポーネントの処理を促進するトランザクション促進処理コンポーネントと
を含むコンピュータシステム。
【請求項１７５】
前記トランザクション促進処理コンポーネントが、更に、ＭＯＴＥＳシステムを含む、請求項１７４に記載のコンピュータシステム。
【請求項１７６】
前記ＭＯＴＥＳシステムが、支払い情報、ユーザ識別、ユーザプリファレンス、及び、配送情報からなる群から選択された前記ユーザに関する情報を処理する、請求項１７５に記載のコンピュータシステム。
【請求項１７７】
商品／サービス及び商品／サービスを入手することができる目的地を識別する、プログラム信号内のアドレスの受信に基づいてユーザに商品／サービスを提供するために使用されるシステムであって、
前記ユーザに呈示されたプログラム信号から抽出されたアドレスに関係する商品／サービスを受け取るユーザ要求を受け取り、そして、処理するアクセスシステムと、そして、
前記アクセスシステムと通信し、要求された商品／サービスを提供する際に、前記アクセスシステムによって識別される目的地に配置された受信システムに少なくとも１つのユーザ識別子を通信するユーザ識別子通信システムと
を含み、前記目的地への前記ユーザの到着時に、前記商品／サービスが前記ユーザに迅速に提供されるところのシステム。
【請求項１７８】
前記ユーザ識別子通信システムが、ＭＯＴＥＳシステムを利用する、請求項１７７に記載のシステム。
【請求項１７９】
前記システムが、前記アクセスシステムの位置を決定し、そして、前記アクセスシステムの位置から前記目的地への方位を決定するために利用される位置情報を提供する位置決定システムを更に含む、請求項１７７に記載のシステム。
【請求項１８０】
前記位置決定システムが、ＧＰＳ信号を利用して、リアルタイムベースで前記アクセスシステムの位置を決定する、請求項１７７に記載のシステム。
【発明の詳細な説明】
【０００１】
（関連特許の相互参照）
本願は、２０００年５月１７に出願の米国特許出願第０９／５７３６２０号の一部継続出願であり、米国特許出願第０９／５７３６２０号は、１９９８年４月３日出願の米国特許出願第０９／０５４７４０号の一部継続出願であり、米国特許出願第０９／０５４７４０号は、１９９６年２月９日出願の米国特許出願第０８／５９７４３２号、現在の米国特許第５７６１６０６号の一部継続出願であり、この両方の内容が、参照によって本明細書に組み込まれる。本願は、２０００年４月１４日出願の米国特許出願第６０／１９７３１４号からの優先権も主張し、この出願の内容が、参照によって本明細書に組み込まれる。
【０００２】
（発明の分野）
本発明は、電子情報アクセスシステムに関し、具体的には、ユーザ及びプロバイダが交渉にかかわるのに必要なトランザクション要件の完成を促進しながら、プログラムの部分を搬送するプログラム信号（たとえば、テレビジョン、ラジオ、もしくは事前に記録されたビデオ媒体又はオーディオ媒体を介して）に埋め込まれたアドレスを介して宣伝される商品／サービスのプロバイダへの方位を提供する媒体オンラインサービスアクセスシステムに関する。より具体的には、本発明は、プログラム信号内で商品／サービスのプロバイダの表示を提供し、商品／サービスに関心を持つユーザの位置を決定し、ユーザに、ユーザによって最も便利にアクセスできる位置のプロバイダへの方位を与えると同時に、交渉にかかわるのに必要なトランザクション要件及び他の要件を容易にする、システム及びプロセスに関する。更に、代替実施形態では、本発明は、前に述べたトランザクションを容易にする特徴及び機能を提供するためにアドレス情報及び／又は方位情報を使用しないシステムに関する。
【０００３】
（発明の背景）
これまでに、テレビジョン受信器及びラジオ受信器などの媒体受信表示システムは、非常に限られた形でのみ対話式情報プロバイダにリンクされてきた。テレビジョン信号を介して又はテレビジョン信号と組み合わせてテレビジョンプログラムの視聴者とのディジタル情報の交換を可能にするシステムが存在するが、それらのシステムは、たとえば放送テレビジョン運営者又はケーブルテレビジョン運営者から入手可能な単一の情報供給源へのアクセスを提供してきた。そのようなシステムでは、情報サービスの選択が、完全に、放送テレビジョン運営者又はケーブルテレビジョン運営者の制御に含まれている。
【０００４】
それと同時に、一部のテレビジョン放送会社及びラジオ放送会社が、プログラム送信の途中で視聴者質問用のインターネットアドレスを公表し始めている。このインターネットアドレスにアクセスするためには、ユーザが自分のコンピュータを使用する必要がある。ビデオ又はオーディオのプログラム信号に埋め込まれたアドレスを介するオンライン情報プロバイダへの自動的な直接のユーザアクセスを提供すると同時に、プログラム信号の内容に関連する位置への方位インジケータを提供し、プログラム送信に関連するプロバイダによるユーザへの商品／サービスの迅速な提供に必要な通信及びトランザクションを容易にするシステムは、まだ存在しない。
【０００５】
たとえばインターネット、Ｐｒｏｄｉｇｙ（登録商標）、Ａｍｅｒｉｃａ　Ｏｎｌｉｎｅ（登録商標）、及びＣｏｍｐｕＳｅｒｖｅ（登録商標）などのディジタルネットワークを介するオンライン情報サービスの使用の最近の急増は、すばやく使用可能な最新の又は詳細な情報へのアクセスの需要が増えつつあることを示す。プログラムが放送又はケーブル手段を介してもしくは事前に記録された媒体から受信される場合であっても、ビデオプログラムの視聴者は、しばしば、ビデオプログラムで呈示される話題に関するより多くの情報を発見しようと努める場合がある。テレビジョンのプログラム及び記録は、有限の長さを有するので、消費者が求める関連情報のすべてを含まないことがしばしばである。更に、テレビジョンプログラムに含まれる情報は、しばしば、時を得ていない場合がある。したがって、テレビジョンプログラム、コマーシャル、又はニュース記事などのオーディオ又はビデオのプログラムから抽出することができるアドレスを介してオンライン情報プロバイダへのアクセスを自動的に直接に提供するシステムがあることが望ましい。そのようなシステムがあれば、複数の利益が得られる。たとえば、教育又は歴史に関するビデオプログラムを見ている大人と子供が、オンラインアドレスを介してデジタルに製作者からのより多くの情報にアクセスすることによって、ビデオプログラムの製作者によってテキスト又は静止画で提供される追加の材料を簡単に突き止めることができる。特定の宣伝される製品に関するより多くの情報を求める消費者が、広告主によって指定された情報プロバイダのオンラインアドレスにアクセスすることによって、そのような情報を簡単に見つけることができる。ニュース記事からの特定の情報又はより詳細な情報を求めるニュースプログラムの視聴者が、そのようなプログラムの製作者によって指定されるオンライン情報プロバイダを介してそのような情報に簡単にアクセスすることができる。
【０００６】
オンラインサービスアクセスシステムを使用して、消費者、会社所有者、及び政府に更に他の利益を提供することができる。たとえば、自動車製造業者は、ビデオプレゼンテーションに埋め込まれたオンラインアドレスを介して消費者が直接に情報を使用できるようにし、消費者が、より多くの情報を要求する、試運転を要求する、又は部品を購入するために、オンラインサイトにすばやく到達できるようになる。そのようなシステムを介して、食品雑貨店が、そのオンラインサイトを介して宣伝し、顧客から宅配又は他の購入の必要に関する注文を受けることができる。カタログ小売業者は、そのようなシステムを使用して、コマーシャルを放送した後に、オンライン形式のカタログへのすばやいアクセスを消費者に提供し、オンラインサイトを介してすばやく受注できるようにすることができる。レコード会社は、そのようなシステムを使用して、歌を聞くかミュージックビデオを見ている間に顧客がレコードを注文できるようにすることができる。たとえば国税庁、新兵募集者、又は保健機関などの政府機関は、たとえば、そのようなシステムを使用して、法規、プログラム、又は、癌、エイズ、心臓病などの公衆衛生の懸念事項に関する公益事業告知を放送した後に、消費者にすばやく使用可能な情報を与えることができる。教育者及び学生は、そのようなシステムを使用して、プログラムが過去に記録されたものであっても、ビデオプログラムで呈示される話題に関する、オンライン掲示板及びデータベースからのより詳細な又は最新の情報を得ることができる。
【０００７】
更に、これまでは、放送ラジオ及びテレビジョンプログラムが、プログラム又は広告中に呈示される商品及び／又はサービスに関する情報の提供において制限されてきた。これらの制限は、しばしば、プログラム作成者が、プログラム作成スケジュール内で、そのような商品／サービスの提供者の位置又は連絡情報を識別する時間を有しないという事実に起因する。広告は、一般に、時間の長さ、時間帯、及び視聴者に基づいて値段を決められるので、広告主は、一般に、経済的な考慮に起因して、割り当てられた時間中に位置及び連絡先の詳細を提供しない。たとえば、ファーストフードレストランのチェーンは、しばしば、さまざまな施設のすべての位置を識別するために必要な「放送時間」について支払うことを望まない。すべてのレストランの位置を識別することが望ましくないのは、多数の施設（特に大都市圏内）を識別するために追加の「放送時間」が必要になるという点で高価であるからであり、ラジオプログラムの聴取者又はテレビジョンプログラムの視聴者のほとんどが、多数の、ほとんどの場合に関係のないレストラン位置を列挙する長い広告に注意を払わないからである。
【０００８】
同様に、ラジオプログラマーは、一般に、プログラムで放送されるさまざまなレコーディングアーティストのクレジットを提供しない。アーティスト、現在の曲が記録されているアルバム又はコンパクトディスクタイトル、及びレコード店の位置を識別するために貴重な秒数を割くのではなく、ラジオプログラマーは、そのような時間枠を、収益を生む広告で埋めることを好む。
【０００９】
更に、方位などの情報内容へのリンクをユーザが受け取れるようにするシステムが、使用可能である場合であっても、そのようなシステムのユーザは、まだ、注文処理、トランザクションの実行、及びプログラム内容で呈示される商品／サービスの受取の遅れに遭遇する。ユーザは、たとえば、現在位置から宣伝された小売り施設（たとえばＭｃＤｏｎａｌｄｓ（登録商標）レストラン）へすばやく進んで、同一のプログラム内容を聞くか他の形で受け取った複数の他のユーザが、プログラム内容で宣伝された商品／サービスを提供する同一の位置に移動することを決定したことを知るだけである場合がある。簡単に諒解されるように、ユーザは、ある位置に到達して、プログラム内容の多数の他の受信者が既に到着しており、その位置が非常に混み合っていることにしばしば直面する場合に、本明細書で識別されるシステムを頻繁に使用することを思いとどまる可能性がある。
【００１０】
したがって、ＧＰＳ測位システム（使用可能な時に）の能力、オンライン情報プロバイダの集合を、プログラム信号と組み合わせて、追加の価値のある情報及び／又はプロバイダとプログラム信号を受け取るユーザとの間で取引を効率的に促進し、識別子、指示し、促進する自動化された支払いシステムの使用を提供するシステムが必要である。そのようなシステムは、プログラマー又は広告主が、データベースからアクセスし、ユーザに方位として呈示することができる、プログラム信号に関連する情報内容（方位など）へのリンクを提供できるようにすることが好ましい。更に、そのようなシステムは、ユーザ及び奨励者が、ユーザが小売り位置に到着する前、到着する時、又は到着の後に、プログラム内容で販売促進される商品／サービスに関するユーザ要求の、迅速なベースでの処理に必要な通信にかかわることを可能にする。
【００１１】
本発明のメディアオンラインサービスアクセスシステムは、ビデオプログラム及びオーディオプログラムの内容をオンライン情報信号内容とリンクするシステム及びプロセスを提供する。このシステムは、受信されたか事前に記録されたテレビジョン信号又はラジオ（オーディオ）信号などの媒体プログラムから、媒体プログラムで提供されるリンクを介するオンライン情報プロバイダへの、これまでに達成されなかった直接の自動化されたユーザアクセスを提供する。アクセスシステムは、使用可能な媒体（たとえば、放送及びケーブルのテレビジョン及びラジオ、もしくはテープ又はディスクなどの事前に記録された媒体）から、ビデオプログラム又はオーディオプログラムもしくは組み合わされたオーディオ／ビデオプログラムを表すプログラム信号を受け取る。表示される画像に干渉しない形で、プログラム信号に、たとえば垂直帰線消去期間内に埋め込まれる、又はプログラム信号に符号化されるのが、オンライン情報プロバイダの電子アドレスを表す情報信号である。オンライン情報プロバイダは、ディジタル情報信号の交換を介してアクセスすることができる、たとえば、対話式トランザクションのためにインターネットを介して利用できる発行者などの、無数の対話型情報プロバイダのいずれかとすることができる。媒体プログラムが、ビデオディスプレイ又はオーディオサウンドシステムでの再生のために受信される時に、アクセスシステムが、ユーザの選択でオンライン情報プロバイダに直接にアクセスするために使用される、埋め込まれた電子アドレスを抽出する。
【００１２】
アドレスは、ユーザが選択した時にオンライン情報プロバイダにアクセスするために使用するために、抽出の時に記憶されることが好ましい。抽出された信号アドレスが記憶される期間は、アドレスが、継続的又は非常に短い間隔で、たとえばビデオ信号のフレームごとに１回などの非常に短い間隔で、送信され、リフレッシュされる場合には、比較的短いものとすることができ、アドレスが、プログラムの選択された間隔でのみ送信される時には、長くすることができる。
【００１３】
電子アドレスを成功裡に抽出した時に、アクセスシステムは、より多くの情報が使用可能であることのインジケータ信号をユーザに供給する。インジケータ信号は、ビデオ画面に表示されるメッセージの形、もしくは、ライト、音声、又は、たとえば振動する腕輪又はクリップオンユニットなどの無線触覚インジケータなどの他のインジケータとすることができる。代替案では、ビデオプログラム又はオーディオプログラムに、プログラム中の、埋め込まれたオンライン情報プロバイダアドレスの存在と一致する点でユーザに呈示されるロゴ又はメッセージを含めることができ、この場合には、オンライン情報プロバイダアドレスの成功裡の抽出に応答して、ユーザに表示を提供するために特定の構造をアクセスシステムに組み込む必要がなくなる。
【００１４】
インジケータ信号を受信した後に、ユーザがより多くの情報を望む場合に、ユーザは、アクセスシステムへのコマンドを介して、たとえば、押しボタン、ユーザコントロールキーパッド、音声コマンド、マウス、タッチパッド、タッチスクリーン、又は他の入力装置を介して、オンライン情報プロバイダへのアクセスを要求することができる。そのようなコマンドを受け取った時に、アクセスシステムは、抽出されたアドレスを含む信号の伝送を介して、オンライン情報プロバイダとのディジタル通信リンクを自動的に確立する。そのような通信リンクの確立時に、アクセスシステムが、オンライン情報プロバイダとの対話式通信をイネーブルすることが好ましい。
【００１５】
本発明のもう１つの実施形態では、アクセスシステムとネットワークの間に接続が常に存在する場合に、抽出されたアドレスを、まず記憶することなく使用することができる。そのような接続が存在する場合には、アクセスシステムは、オンライン情報プロバイダアドレスの成功裡の抽出の際にユーザにインジケータ信号を与える。しかし、この実施形態では、アクセスシステムが、アクセスを開始するユーザコマンドを待ち、そのようなコマンドを受け取った後に限って、アクセスシステムが、プログラム信号から次に受信されたアドレスを抽出し、それを使用してオンライン情報プロバイダへの直接接続を確立する。
【００１６】
他の実施形態では、オンライン情報プロバイダにアクセスした後に、アクセスシステムが、オンライン情報プロバイダから情報を受け取り、ビデオ再生システム又はオーディオ再生システムでの再生のためにその情報を処理する。たとえば、情報を、テレビジョン放送信号の代わりにテレビジョン画面に、別のコンピュータモニタ又は他の表示装置に、もしくはピクチャインピクチャ（ｐｉｃｔｕｒｅ−ｉｎ−ｐｉｃｔｕｒｅ）フォーマットでテレビジョン放送信号と一緒に、表示することができる。この形で、ユーザは、オンライン情報プロバイダから入手可能な関連情報のすべてを完全に調査することができる。アクセスシステムが、受け取った情報信号を、そうでなければ非互換のシステムで表示するために再フォーマットするハードウェア、たとえば、ディジタルエンコードされたビデオ信号を普通のテレビジョンセットでの再生用のアナログ信号に変換するハードウェアを備えることが好ましい。アクセスシステムは、プロバイダとのユーザ通信トランザクションを提供するためにオンライン情報プロバイダに送信するための、ユーザコマンドを受け取り、処理するハードウェアも備えることが好ましい。
【００１７】
更に、現在使用可能なオーディオ放送技術及びビデオ放送技術は、歩いている人又は車を運転している人が、宣伝された商品／サービスを購入するために所望の施設の最も近い位置について知ることを可能にしないので、本発明は、無線のアナログ又はディジタルのプログラム信号と、既知の又はこれから知られる位置決定システム（たとえば、ＧＰＳ又はロラン）を介して決定される位置データを相互接続するシステムを提供する。そのような位置決定システムとあいまって、本発明は、視覚、聴覚、又は他の方法によって、宣伝される会社の最も近い位置及び／又は最も都合のよい位置を適当に表示する。もちろん、プログラム製作に関連する追加の内容（すなわち方位以外の内容）を、ユーザのＰＤＡ又は車両、若しくは、ユーザとプロバイダとの間を通信する他の手段内の画面に表示することもできる。
【００１８】
本発明は、更に、プログラム信号で販売促進される位置（又はプロバイダによって指定される位置）のプロバイダからの商品／サービスの配送を促進するために必要な通信及びトランザクションを容易にする。好ましい実施形態では、ユーザの現在位置が決定され、プログラム信号で販売促進される商品／サービスを提供する最も近い位置が識別された後に、システムが、特定の位置（中央センタが使用される場合にはプロバイダ）とユーザの間の通信リンクを適当に確立し、ユーザが、販売促進された商品／サービス及び／又は代替の商品／サービスを要求できるようになる。たとえば、ＭｃＤｏｎａｌｄｓに関する広告で、Ｂｉｇ　Ｍａｃｓを販売促進することができるが、ユーザが、プログラム信号で宣伝される品目に加えて、又はそれの代わりに、他の食品品目を要求する場合がある。本発明は、メニューを提供し、ユーザからの特殊な要求を受け入れることによって、そのような個性化を容易にする。更に、このシステムは、ユーザが、ほとんど又は全く待たずに、特殊なドライブスルーウィンドウで注文を選択できるようにする。たとえば、モバイルトランザクションを可能にするシステムとの対話を容易にする、受動的又は能動的な記憶手段及び／又はトリガ装置を備えるユーザのために特に設計された、ドライブスルーサービスを受けられるウィンドウが提供される。そのようなシステムの例に、ＥＺＰａｓｓ及び他のシステムが含まれる。単純にするために、そのようなモバイルトランザクションイネーブリングシステム（ＭＯｂｉｌｅ　Ｔｒａｎｓａｃｔｉｏｎ　Ｅｎａｂｌｉｎｇ　Ｓｙｓｔｅｍ）を、以下では「ＭＯＴＥＳ」として識別する。
【００１９】
更に、本発明の代替実施形態は、位置及び／又は方位情報が提供されず、かつ／又は使用されないように構成することもできる。そのような実施形態では、システムが、プログラム信号に関係する追加内容を表示し、ＭＯＴＥＳを使用して、追加内容に関連する商品／サービスの獲得にかかわるトランザクションの詳細の完了を促進する。
【００２０】
更に、ユーザとプロバイダの間の通信リンクによって、ユーザが、ＭＯＴＥＳの有無を問わずに、所望の商品／サービスの配送を促進するために必要なトランザクション要件を完了できるようになることが好ましい。そのようなトランザクション要件には、たとえば、請求手配（すなわちクレジットカード許可）、配送条件（たとえば、どれほどすばやくユーザが位置に到達するか、又はユーザが配送に関する援助を必要とするかどうか（たとえば、身体障害を有する運転手が、ガソリンを入れるのに支援を必要とする場合がある））を含めることができる。更に、システムは、プロバイダがユーザを代替位置に迂回させられるようにすることが好ましい。たとえば、ユーザによって要求される商品／サービスが、最も近い位置で品切れ（たとえば、店が販売促進品目を売り切った）であるか、商品／サービスの配送が、同一の位置に応答する他のユーザに起因して、遅れるか穏当な時間期間内では不可能である時に、このシステムは、ユーザに、（ＧＰＳ又は他の位置決定システムが使用可能である時に）、要求を迅速に満足することができる位置への道を適当に教え、かつ／又はその位置を識別する。システムが、位置及び方位の決定機器を備えない時には、ユーザに、位置だけが与えられる。
【００２１】
そのようなシステムの一実施形態では、本発明によって、本明細書で指定されるさまざまな他の実施形態に類似するプログラム信号に、オンラインアドレスが組み込まれる。オンラインアドレスは、プログラム信号の内容に対応する。このシステムは、適当な刺激（すなわち、視覚インジケータ、可聴インジケータ、又は触覚インジケータ）を介して、追加情報が使用可能であることをユーザに助言することが好ましい。ユーザの指示の際に、システムは、プログラム信号からアドレスを抽出し、抽出されたアドレスを、（使用可能な時に）ユーザの位置情報（好ましくはＧＰＳ受信器を介して決定される）及び他のユーザ識別情報（たとえば、請求先情報）と共に、適当なプロセッサ、サーバ、又はサーバのネットワークに送られる信号に組み合わせる。組み合わされた信号を受け取るプロセッサは、ＧＰＳによって決定された位置（使用可能な時に）から、所望の施設への方位を決定するか、（使用可能でない時に）プログラム信号に関連する少なくとも１つの位置を決定し、そのような方位を、表示のためにユーザに適当に送る。その後、プロセッサは、ユーザに、販売促進される商品／サービス、代替の商品／サービス、及び／又は追加の商品／サービスの自動化された購入を実行することを望むかどうかを問い合わせることが好ましい。ユーザが、好意的に応答する場合に、プロセッサは、好ましくはＭＯＴＥＳ互換システムを使用することによって、必要な通信リンクを確立し、販売促進された、代替の、及び／又は追加の商品／サービスをユーザが迅速に受け取れるようにするために必要なアクションを完了することが好ましい。
【００２２】
もう１つの実施形態では、本発明は、オンラインアドレスを使用して、位置及び他の情報を含むデータにアクセスし、そのデータが、ユーザにローカルな装置（たとえば、自動車内のハードドライブ）に記憶される。この実施形態では、データが、アドレスを含むプログラム信号の送信に先立って車両に送信される。システムは、プログラム信号とオンラインアドレスを受信し、オンラインアドレスで識別される内容を記憶手段から検索し、使用可能である時にＧＰＳデータを使用して方位を決定するか、ＧＰＳデータが使用可能でない時に施設の少なくとも１つの位置を決定する。ユーザが、ＭＯＴＥＳ互換システムの使用を望む時には、システムは、事前に記録されたデータからアクセス指示（たとえば電話番号）及び注文情報を抽出する。そのような情報は、ユーザ又はユーザのシステムによって適当に使用されて、販売促進される商品／サービスの注文をプロバイダにサブミットし、トランザクション要件を完了して、ユーザがその位置に到着する時に商品／サービスがユーザに迅速に提供されるようにする。ＭＯＴＥＳは、ユーザが、自動車の運転などの他の活動に注意の焦点を合わせることができるように、最小限のユーザ対話を必要とするように設計されることが好ましい。そのような実施形態では、ユーザが、音声、キーパッド、タッチスクリーン、マウス、又は他の形によって、要求を入力し、その要求が、要求されたか代替の商品／サービスを提供するものとして識別される位置に、ＭＯＴＥＳによって自動的に通信されることが好ましい。請求情報（たとえばクレジットカード番号）も、この時にＭＯＴＥＳによってその位置に通信することができる。
【００２３】
もう１つの実施形態では、ユーザの装置が中央位置から情報を受信し、情報をデータベースに記憶するのではなく、事前に記録されたデータベースが使用される。そのようなデータベースは、たとえば、ＣＤ−ＲＯＭ、ＤＶＤ、ポータブル不揮発性記憶手段（たとえば、フラッシュＲＯＭ、ＥＥＰＲＯＭ、メモリスティック（商標））、継続的に電力を提供される揮発性記憶手段、磁気ディスク、又は他の磁気記憶手段／光学記憶手段で提供することができる。このデータベースは、プログラム信号に埋め込まれたオンラインアドレスに関する情報の検索を可能にする、索引付け方式を使用することが好ましい。この形で、たとえば地図作成情報を、ユーザ装置内に常駐するものとすることができる。ダウンロード実施形態に関して、この実施形態は、ユーザ位置及びプログラム信号の内容に基づいてシステムによって識別される位置／プロバイダへの、ユーザによる注文のリモート入力及びトランザクション処理も提供する。したがって、使用されるデータ検索システムに無関係に、本発明は、販売促進されるか代替の商品／サービスに関するユーザによる要求の通信及び処理に必要な通信及びトランザクションを容易にすることによって、ＧＰＳ位置情報（そのような位置情報が使用可能な時）に基づいて識別される位置にいるユーザへのプログラム信号で販売促進される商品／サービスの配送を促進するシステムを提供する。
【００２４】
（好ましい実施形態の詳細な説明）
本発明によるオンラインサービスアクセスシステムを、図１に示す。図１を参照すると、オンラインサービスアクセスシステムには、オンラインアクセスを提供し、受信したオンライン情報信号にアクセスするために必要なすべてのコンポーネントを組み込まれたアクセスコントローラ１０が含まれる。アクセスコントローラ１０は、ビデオ信号供給源１４からの普通の形の放送、ケーブル、又は事前に記録された媒体プログラムからのプログラム信号１２を受け取るように構成される。ビデオ信号供給源１４は、ケーブル又は放送のビデオ入力１５に接続されたチャネルセレクタ１６から、もしくは、たとえばビデオカセットレコーダ、アナログビデオディスク装置、又はディジタルビデオディスク装置とすることができるビデオ再生システム１８からの出力を供給するために選択的に切り換え可能とすることができる。チャネルセレクタ１６を、再生システム１８と別のユニット内又はアクセスコントローラ１０自体の中に設けることができることを諒解されたい。代替案では、アクセスコントローラ１０を、放送ビデオ供給源又はケーブルビデオ供給源から受信される無線周波数での信号、もしくは、たとえばビデオカセットレコーダ又はディジタルビデオディスク装置のフロントエンド受信回路によってベースバンドにダウンコンバートされた信号を、受信し、復号するように構成することができる。アクセスコントローラ１０によって提供される機能及び結果が、多数の使用可能な再生システムのどれがそれに接続されるか、そのようなシステムのフォーマットがアナログ又はディジタルのどちらであるか、もしくは、そのような再生システムがビデオテープ、オーディオテープ、又はディスク媒体のどれで動作するかに依存しないことも諒解されたい。
【００２５】
アクセスコントローラ１０は、主出力信号線３６を介して、テレビジョンセットなどの普通の再生システム２２に接続され、任意選択として、第２出力信号線３８を介して、コンピュータモニタなどの高解像度再生システム４０に接続される。更に、アクセスコントローラ１０は、たとえば電話回線、同軸ケーブル、光ファイバリンク、セルラ、無線電話、又は衛星リンクなどの情報信号担体３２を介して、公衆又は私有のネットワーク３０に接続される。ネットワーク３０は、私有ネットワーク（たとえば、Ａｍｅｒｉｃａ　Ｏｎ　Ｌｉｎｅ（登録商標）又はＥｘｃｉｔｅ＠Ｈｏｍｅ（登録商標））、公衆ネットワーク（たとえば、インターネット又はワールドワイドウェブ）、ローカルエリアネットワーク又は広域ネットワーク（たとえば、オフィスネットワーク又は社内ネットワーク）、回線交換網、もしくは電子情報の交換を容易にする装置の他の構成とすることができる。ネットワーク３０は、アクセスコントローラ１０と、複数のオンライン情報プロバイダ３４ａ、３４ｂ、３４ｃ、．．．、３４ｎの選択された１つとの間でアドレス信号及び情報信号をルーティングするために使用される。アクセスコントローラ１０は、ネットワーク３０を介して、オンライン情報プロバイダから、ビデオプログラム又はオーディオプログラムの内容を有する情報信号を受信し、適当な普通の処理を介して、普通の再生システム２２での再生用の普通のプログラム信号又は高解像度再生システム４０での再生用の高解像度信号を選択的に供給する。
【００２６】
アクセスコントローラ１０の内部構成を、図２を参照して説明する。アクセスコントローラ１０には、プログラム信号１２を受け取るアドレス抽出器４２が設けられる。アドレス抽出器４２には、ビデオ又はオーディオのプログラム信号に埋め込まれたアドレスを検出し、復号し、記憶するハードウェア及び／又はソフトウェアが含まれる。アナログビデオ信号と共に送信されたアドレス信号を検出するために存在する方法のうちで、アドレス抽出器４２を、垂直帰線消去期間又は表示される画像品質に影響しない形で普通のビデオ信号の他の部分の間に送信されるディジタルアドレスを検出するように構成することができる。たとえば、アドレス信号を、フィールド間信号内、又は同期信号内、もしくは、輝度信号又はクロマ信号の変化を介してなど、ビデオ信号の一部の間に送信することができる。アドレス抽出器４２は、たとえばレジスタ又はメモリデバイス（図示せず）を介して、ユーザの選択でオンライン情報プロバイダにアクセスするために使用される検出されたアドレスを電子的に記憶するように構成される。アドレス信号は、抽出されるアドレス信号の記憶及びリフレッシュが非常に短い間隔で行われるように、たとえばビデオプログラムのフレームごとに１回など、非常に短い間隔で送信することができる。その代わりに、抽出されたアドレス信号が記憶される期間がはるかに長くなるように、アドレス信号を、より長い間隔すなわち、プログラム内の不連続の間隔で送信することができる。
【００２７】
ビデオプログラム又はオーディオプログラムが、ディジタルに符号化される場合には、ディジタルに符号化されたビデオ又はオーディオのプログラム信号１２と共に受信されるアドレス信号を検出する複数の既存の形のいずれかで、アドレス抽出器４２を構成することができる。アドレス抽出器４２の構成の詳細は、当技術分野で周知であり、更に詳細に説明する必要はない。
【００２８】
アドレス抽出器４２は、インジケータ信号ジェネレータ４６への出力接続を有する。インジケータ信号ジェネレータ４６は、プログラムに関するより多くの情報が入手可能であることをユーザに知らせ、そのような情報は、アドレス抽出器４２がプログラム信号１２からそのようなアドレスを復号した時のプログラム信号を介してアクセス可能である。インジケータ信号ジェネレータ４６は、たとえば、ビデオ画像２０（たとえば、ピクチャインピクチャ、ロゴ、又はアイコン）をビデオプログラム信号と共に再生システム２２に表示させて、ユーザに、オンライン情報プロバイダのアドレスが記憶され、追加情報が使用可能であることを知らせる。その代わりに、又はそのような視覚的表示に追加して、インジケータ信号ジェネレータ４６が、ライト２４もしくは、アクセスコントローラ１０又は再生システム２２の外面パネルに配置された他の視覚インジケータを作動させることによって、ユーザに知らせることができる。
【００２９】
代替案では、インジケータ信号ジェネレータが、再生システム２２のスピーカ２６又はアクセスコントローラ１０内に設けられるスピーカ２８によって、音声を再生させることができる。この場合でも、インジケータ信号ジェネレータ４６の設計は、当技術分野で周知である。アクセスコントローラ１０は、ユーザコマンドを受け取るユーザ入力インターフェース５６を備え、このユーザ入力インターフェース５６によって、アドレス抽出器４２によってプログラム信号１２から検出されたアドレスを介するオンライン情報プロバイダへの直接ディジタル通信リンクの確立が開始され、ユーザとオンライン情報プロバイダの間の対話式通信が可能になる。多くの普通の入力インターフェースが、その普通のテレビジョンシステム及びオーディオサウンドシステムとの互換性のゆえに、ユーザインターフェース５６としての使用に適することを諒解されたい。そのような入力インターフェースに含まれるのが、有線又は無線のリモートユーザコントロールからの単一のキー又は複数のキーのシーケンス入力を復号する、赤外線、無線周波数、及び可聴周波数のインターフェースである。
【００３０】
ユーザ入力インターフェース５６は、リモートユーザコントロール上の特殊目的ボタンが押された時を検出し、自動的にオンライン情報プロバイダの記憶されたアドレスを検索させ、送出させる応答信号を供給することが好ましい。ユーザ入力インターフェース５６は、普通のユーザコントロール上でキーの特殊なシーケンス（たとえば、「ＥＮＴＥＲ」「ＥＮＴＥＲ」「＋ＶＯＬＵＭＥ」などのシーケンス）が押された時を検出し、オンライン情報プロバイダとの対話式通信を可能にするように構成することもできる。その代わりに、ユーザ入力インターフェース５６を、適当なマイクロコンピュータタイプのユーザインターフェース、たとえば、マウス、タッチパッド、タッチスクリーン、トラックボール、ジョイスティック、押しボタン、イレーザヘッド、又は他のそのような装置によって、実施することができる。ユーザインターフェース５６は、モデム５４を介するオンライン情報プロバイダへのディジタル情報信号の伝送を提供し、受信するように構成され、これによって、詳細情報検索の実行、トランザクション実行、及びアクセスされるプロバイダへのメッセージの送信又はポストのための、オンライン情報プロバイダとの対話的ユーザアクセスを可能にすることが好ましい。
【００３１】
アクセスコントローラ１０は、アクセスコントローラ１０と公衆交換ネットワーク３０との間の情報信号担体線３２を介するディジタル情報信号の送信及び受信のためのモデム５４を備える。モデム５４は、入ってくる情報信号を復調し、プロセッサ５８に出力し、プロセッサ５８は、ビデオ及び／又はオーディオ信号３８を抽出する。アクセスコントローラ１０に、ユーザによって制御される、テレビジョン信号の代わりに、テレビジョン信号に重畳されて、又はピクチャインピクチャフォーマットのいずれかで、テレビジョンセットなどの普通の再生システム２２での表示のために、非互換の信号を調整又は変換する信号コンバータ６２が含まれることが好ましい。代替案では、プロセッサ５８が、コンピュータモニタなどの高解像度再生システム４０に信号線３８でビデオ信号を供給する。インジケータ信号ジェネレータ４６に、信号が信号コンバータ６２の出力に現れる時に、必ず主出力信号３６を自動的にオフに切り換えるスイッチ（図示せず）を組み込むこともできる。この形で、オンライン情報プロバイダから受信した情報信号が、普通に表示されるビデオ信号３６の代わりに、普通の再生システム２２に自動的に表示される。
【００３２】
プロセッサ５８は、アドレス抽出器４２から出力される信号線５５を介して（プログラム信号線１２の直接接続も可能ではある）入力のビデオ又はオーディオの電子プログラム信号も受け取ることができる。この形で、プロセッサ５８を、普通の再生システム２２での表示用の「ピクチャウィズインピクチャ（ｐｉｃｔｕｒｅ　ｗｉｔｈｉｎ　ｐｉｃｔｕｒｅ）」信号を生成するために、オンライン情報プロバイダから受信した情報信号と共にビデオ信号又はオーディオ信号を操作するように構成することができる。
【００３３】
このシステムの動作を、これから説明する。チャネルセレクタ１６又は、たとえば事前に記録されたビデオテープ、もしくはアナログ又はディジタルのビデオディスクなどの再生システム１８からの、プログラム信号１２の帰線消去期間又は他の表示されない部分に埋め込まれたオンライン情報プロバイダの電子アドレスを表す信号を含む、ビデオプログラム又はオーディオプログラムからの信号などのプログラム信号１２が、アドレス抽出器４２によって受け取られる。プログラム信号１２から、アドレス抽出器４２は、そのようなアドレスがそれに埋め込まれている場合に、オンライン情報プロバイダのディジタルアドレスを検出し、復号し、記憶する。
【００３４】
アドレスが、成功裡に復号され、記憶された場合に、アドレス抽出器４２は、信号線４４を介して、インジケータ信号ジェネレータ４６をアクティブにする。インジケータ信号ジェネレータ４６は、インジケータ信号を作り、それを、普通の再生システム２２によって表示又は変換される普通のプログラム信号３６にオーバーレイ又はエンコードする。代替案では、インジケータ信号ジェネレータ４６が、信号線５０上の信号を作り、この信号が、たとえばライト２４を点灯するか、アクセスコントローラ１０のスピーカ２８で音声を作るなど、特殊目的インジケータをアクティブにする。
【００３５】
ユーザが、オンライン情報プロバイダにアクセスすることを求める場合には、ユーザは、たとえば自分のリモートコントロール装置の特殊なボタンを押すことによって、そのようなコマンドをアクセスコントローラ１０に与える。リモートコントロール装置は、コマンド信号をユーザインターフェース５６に送信し、ユーザインターフェース５６は、コマンド信号を受信する。ユーザインターフェース５６は、アドレス抽出器４２に印加される信号を作って、オンライン情報プロバイダの格納されたアドレスを検索する。適当なソフトウェア又はハードウェアによる制御の下で、アドレスが、モデム５４を介してネットワーク３０上で、たとえばオンライン情報プロバイダ３４ｃに送信される。
【００３６】
オンライン情報プロバイダへのアクセスを確立した後に、アクセスコントローラ１０は、モデム５４を介してオンライン情報プロバイダからディジタル情報信号を自動的に受信することができる。受信された情報信号は、普通のＴＶ再生システム２２もしくは、たとえばコンピュータモニタ又は他の表示装置などの高解像度再生システム４０での表示のためにプロセッサ５８によって処理される。たとえば普通のテレビジョンセットなどの普通の再生システム２２で直接に表示することができない受信された信号は、それへの表示のために信号コンバータ６２によって変換されることが好ましい。
【００３７】
オンライン情報プロバイダから受信される情報信号は、普通の再生システム２２で普通に表示されるビデオ信号の代わりに静止画又は動画として表示することができ、あるいは、普通の再生システム２２又はコンピュータモニタ４０もしくは他の表示装置で普通に表示されるビデオ信号と共に「ピクチャウィズインピクチャ」表示の一部として表示することができる。
【００３８】
アクセスを確立した後に、ユーザインターフェース５６から受け取られるユーザコマンドが、モデム５４を介して情報信号としてオンライン情報プロバイダに送信され、これによって、オンライン情報プロバイダとの対話式ユーザアクセスがもたらされ、詳細情報の検索、トランザクションの実行、アクセスされるプロバイダへのメッセージの送信又はポスト、及びオンライン接続を介して普通に行うことができる他のアクションが可能になる。
【００３９】
本発明のもう１つの実施形態を、図３に示す。図３は、使用可能なコンピュータ１６４と共に動作する実施形態を示す図である。この実施形態では、アクセスコントローラ１１０が、内部プロセッサ又はモデムを必要としない。というのは、そのような機能が、これに接続されたコンピュータ１６４によって提供されるからである。更に、コンピュータ１６４は、高解像度再生システム４０として機能するモニタ及びオーディオ再生コンポーネントも提供する。アクセスコントローラ１１０のアドレス抽出器１４２、インジケータ信号ジェネレータ１４６、及びユーザ入力インターフェース１５６は、復号されたアドレス出力、インジケータ信号、及びユーザコマンドをコンピュータ１６４に供給する出力インターフェース１６６を介して接続される。他の点では、アクセスコントローラ１１０は、プログラム信号１２を受け取るように接続され、前述で説明したアクセスコントローラ１０（図２）の自己完結型の実施形態に類似する形で、普通のプログラム信号１２２及びインジケータ１２４又は１２８への信号１５０を供給する。本発明のコンピュータ支援される実施形態（図３）が、自己完結型の実施形態（図１から２）と本質的に同一の機能を提供し、同一の形で動作し、これ以上詳細に説明する必要がないことを諒解されたい。
【００４０】
本発明のもう１つの実施形態では、図１から３を参照すると、ネットワーク３０への接続が、モデム５４又はコンピュータ１６４内に設けられるモデムを介して、アクセスコントローラ１０によって継続的に維持される。この実施形態を、図２に示されたアクセスコントローラ１０に関して説明するが、当業者は、図３に示されたアクセスコントローラによる動作に必要な構造的修正をたやすく理解するであろう。この実施形態では、アドレス抽出器４２が、ビデオプログラム信号又はオーディオプログラム信号に埋め込まれたオンライン情報プロバイダアドレスを検出し、復号するが、そのアドレスを記憶しない。
【００４１】
本発明の前述の実施形態で説明したように、アドレス抽出器４２は、プログラム信号内のオンライン情報プロバイダアドレスを成功裡に検出した時に、インジケータ信号ジェネレータ４６に信号を供給する。アドレス抽出器４２は、埋め込まれたアドレスを検出し、復号し、モデム５４に渡す。モデム５４は、オンライン情報プロバイダへのアクセスを開始するユーザコマンドを初めて受け取る場合に限って、抽出されたアドレスを使用する。本発明のこの実施形態を、オンライン情報プロバイダアドレスが頻繁に又は継続的に送信されるビデオプログラム信号又はオーディオプログラム信号と共に使用することができることを諒解されたい。モデム５４は、オンラインアクセスを開始するユーザコマンドを受け取った時に、次に受け取るオンライン情報プロバイダアドレスに関連するオンライン情報プロバイダとの直接ディジタル通信リンクを自動的に確立するハードウェア及び／又はソフトウェアを備える。
【００４２】
本発明のこのアドレスを記憶しない実施形態の動作の例として、オンライン情報プロバイダアドレスを含む頻繁に送信される埋め込まれた信号を有するビデオ又はオーディオのプログラム信号が、信号線１２を介してアドレス抽出器４２によって受け取られる。アドレス抽出器４２は、オンライン情報プロバイダアドレスを検出し、復号するが、モデム５４に渡す前に記憶しない。モデム５４は、アクセスを開始するユーザコマンドがユーザインターフェース５６から初めて受け取られない限り、オンライン情報プロバイダアドレスに関して何もしない。そのようなユーザコマンドが受け取られた場合に、モデム５４は、次に受け取ったアドレスを使用してネットワーク３０を介して信号を送信して、オンライン情報プロバイダとのディジタル通信リンクを確立する。アドレスを記憶しない実施形態の機能及び動作は、これ以外は、本発明の他の本明細書に記載の実施形態と同一であり、これ以上詳細に説明する必要はない。
【００４３】
本発明のもう１つの実施形態では、オンライン情報プロバイダへの自動化された直接のユーザアクセスが、アクセスコントローラ１０にインジケータ信号ジェネレータ４６又は１４６（図３）を組み込まずに達成される。この実施形態では、作られるビデオプログラム又はオーディオプログラムに、ロゴ又はメッセージなど、オンライン情報プロバイダアドレスが基礎となる電子プログラム信号内に存在する時に、プログラムの一部の間に普通の再生システム２２及び／又は高解像度再生システム４０によって自動的に表示又は再生される、視覚インジケータ又は聴覚インジケータが組み込まれる。視覚インジケータ又は聴覚インジケータを介して、ユーザは、オンライン情報プロバイダアドレスの使用可能性を知らされる。したがって、本発明のこの実施形態では、アドレス抽出器４２を、オンライン情報プロバイダへのアクセスを開始するユーザコマンドを受け取った後に限って埋め込まれたオンライン情報プロバイダアドレスを検出し、復号する形で構成し、使用することができる。
【００４４】
図４に、方位情報が車両１９６内でユーザに表示される、本発明のもう１つのシステムで使用されるユーザ環境の全般的な概要を示す。この実施形態では、方位情報が、プログラム信号に関係する内容であり、このプログラム信号は、ラジオ２１２又はテレビジョンディスプレイ２０８を介して受信することができる。本発明の要素を、下で図５から８に関して詳細に説明するが、図４は、本発明の好ましい実施形態の全般的概要を理解するために役立つ図である。
【００４５】
図４に示されたこの実施形態では、広告が、車両１９６でプログラム信号１２で受信される。放送を介して受信されるか、再生システム１８（たとえば、事前に記録されたビデオテープ、アナログビデオディスク、ディジタルビデオディスク、光学記憶手段、磁気記憶手段、ハードディスクドライブ、ポータブル不揮発性記憶手段（たとえばメモリスティック）、ポータブルな連続的に電力を提供される揮発性記憶手段、メモリカード、又は書込／書換可能なＣＤＲＯＭ又はＤＶＤＲＯＭ）から再生されるビデオプログラム又はオーディオプログラムからの信号などのプログラム信号１２に、オンライン情報プロバイダの電子アドレスを表すアドレス又はそのようなアドレスの表現が含まれることが好ましい。一般に知られているように、ＵＲＬが、オンライン情報プロバイダのアドレスを表すのにしばしば使用される。本発明では、プログラム信号１２内のＵＲＬを使用して、オンライン情報プロバイダを表すことができる。しかし、本発明は、アドレスを表すのにＵＲＬを使用することに制限されない。たとえば、インジケータ、キーワード、アドレッシング方式、商標、又はニーモニックを、本発明によって使用して、プログラムに関係する情報を見つけることができる場所のアドレス又は位置を指定することができる。たとえば、ＭｃＤｏｎａｌｄｓ（登録商標）又は金のアーチの商標を使用して、すべてのＭｃＤｏｎａｌｄｓのレストランに関する情報についてオンラインアドレスを突き止めることができ、ここで、ＭｃＤＯＮＡＬＤＳ２３４を、店番号２３４に関係する情報のアドレッシングに使用することができる。
【００４６】
更に、アドレスを、帰線消去期間に埋め込むか、プログラム信号１２の他の非表示部分に埋め込むことができ、あるいは、プログラム信号と独立に、代替通信パスによって受信することができる。プログラム信号１２に埋め込まれる場合に、アドレス抽出器４２は、オンライン情報プロバイダのディジタルアドレスを検出し、復号し、記憶する。アドレスが、成功裡に復号され、記憶される場合に、アドレス抽出器４２は、インジケータ信号ジェネレータ４６をアクティブにする。インジケータ信号ジェネレータ４６は、インジケータ信号を作り、これを、好ましくは、ビデオディスプレイ２０８で表示又は変換されるビデオ信号に、アイコン２１６としてオーバーレイするか符号化する。上で説明した代替インジケータ信号（例えば、可聴音）のいずれであっても、この実施形態に使用することができる。
【００４７】
ユーザが、広告に関連する施設への方位情報を得ることを求める場合に、ユーザは、たとえばダッシュボード上の特殊なボタンを押すか、好ましくは、車両に設置された音声駆動システムに音声コマンドを与えることによって、アクセスコントローラ１０にコマンドを与える。当技術分野で既知の音声認識システムのいずれであっても、本システムと共に使用することができる。音声駆動システムは、コマンド信号をユーザインターフェース５６に送り、ユーザインターフェース５６は、コマンド信号を受け取る。ユーザインターフェース５６は、アドレス抽出器４２に印加される信号を作って、オンライン情報プロバイダの記憶されたアドレスを検索する。これが入手できた場合には、更に、システムは、好ましくはＧＰＳシステムを使用して、車両の現在位置を決定する。
【００４８】
本発明の代替実施形態では、アクセスコントローラ１０は、ユーザが本発明を実施するシステムにコマンドを入力するか与えることを必要とせずに、オンライン情報プロバイダのアドレスに自動的にアクセスするように構成される。したがって、本発明は、プログラム信号と共にアドレスが提供される時に、（ＧＰＳ情報を入手した場合には）方位及び／又は位置情報を含む情報をシステムがユーザに自動的にプッシュするように構成することができる。
【００４９】
同様に、本発明は、方位及び／又は位置情報が、ユーザプロファイルに基づいてユーザに自動的にプッシュされるように構成することができる。ユーザプロファイルには、ユーザが、どのように、どこで、いつ、何を、どのフォーマットで、プログラム信号内のアドレスに関連する情報の受取を望むかを示す変数／パラメータを含めることができる。ユーザプロファイル情報では、たとえば、ユーザが、ユーザの車両が移動中でない時に限って情報を受け取ることを好むことを示すことができる。同様に、プロファイルで、ユーザが、あるレストラン又はあるタイプのレストランに関する情報を受け取ることを望まないこと、又は、ユーザが、現在位置又は自宅の位置から２マイル（３．２ｋｍ）以内の位置に関する情報又は他のプリファレンスに基づく情報だけを受け取ることを望むことを示すことができる。ユーザプロファイルでは、年齢、性別、収入、運転する車両のタイプ、時刻、車両の位置、インジケータ信号に対する過去の応答などの変数を考慮に入れることもできる。
【００５０】
ＧＰＳ位置データ（使用可能な時に）を決定した後に、ＧＰＳ位置データとアドレスを信号に組み合わせ、好ましくは下で図５に関して詳細に説明するデータ処理センタに、無線接続を介して送信する。ＧＰＳデータが使用可能でない時には、他のデータ（ユーザプリファレンスなど）とアドレスが、組み合わされ、データ処理センタに通信される。オンライン情報プロバイダへのアクセスを確立した後に、車両は、データ処理センタ及びオンライン情報プロバイダから住所／地図方位（ＧＰＳデータが使用可能な時）を含むディジタル情報信号、又はたとえばＭｃＤｏｎａｌｄｓレストランのサンプルメニューなどの他の情報を自動的に受信することができる。受信された情報信号は、好ましくは地図表示装置２０４に表示されるか、代替案では、ビデオ表示装置２０８の宣伝プログラムを置換することができる。
【００５１】
したがって、オンライン情報プロバイダから受信した方位を含む情報信号を、ビデオ表示装置２０８上の普通に表示されるビデオ信号の代わりに、静止画又は動画として表示することができる。これらの信号は、普通の再生システム２２又はコンピュータモニタ４０又は車両内にセットアップすることができる他の表示装置（図４に図示せず）で普通に表示されるビデオ信号と共に、「ピクチャウィズインピクチャ」表示の一部として表示することもできる。
【００５２】
代替実施形態では、ＧＰＳ位置データ及びオンライン情報プロバイダのアドレスを組み合わされた信号で送信するのではなく、データ処理センタのオペレータとの音声及び／又はデータの遠隔通信リンクが、確立される。この実施形態では、ユーザが、アドレス、位置（たとえば、、これらを入手した場合には、表示装置からＧＰＳ位置情報を読み取ることによる）、及び他の関係する情報をオペレータ又はカスタマサービス代理人に適当に伝える。カスタマサービス代理人は、適当なデータベースにアクセスし、口頭の通信として、プログラム信号として、又はその組合せとして、要求された情報をユーザに供給する。この形で、本発明を、望み通りのカスタマサポートサービスを提供すると同時に、さまざまなレベルの技術的素養を有するユーザをサポートするように構成することができる。当業者は、本発明に鑑みて可能である、データ処理センタ（オペレータの有無を問わない）とユーザの間の、データ、アドレス、位置情報、及び他の通信のさまざまな他の順列を諒解する。
短く言うと、本発明は、プログラム信号で受信されたアドレスと、使用可能な時にユーザの位置情報とをデータ処理センタに通信し、そのような要求に応答して目的地及び他の情報を受信し、ＭＯＴＥＳを使用することによってユーザとプロバイダの間の商品／サービスに関するトランザクションを促進する、すべてのシステム及び方法を含む。
【００５３】
アクセスが確立された後に、ユーザインターフェース５６を介して受け取られたユーザコマンドが、情報信号としてモデム５４を介してオンライン情報プロバイダに送信され、これによって、オンライン情報プロバイダとの対話式ユーザアクセスが提供され、追加の詳細情報の検索、トランザクションの実行、アクセスされるプロバイダへのメッセージの送信又はポスト、及び、オンライン接続を介して普通に行うことができる他のすべてのアクションが可能になる。
【００５４】
図５に、図４に関して説明した発明を提供する、本発明のシステムの実施形態を示す。図５の実施形態では、（任意のコンポーネントとしての）ＧＰＳ受信器４１６が、アクセスコントローラ４４０と共に、車両１９６内で位置を与えられて、位置への方位を提供する。位置は、プログラム信号の内容に関連する。位置は、オンラインアドレスを介して識別される。図からわかるように、車両４２０に、アクセスコントローラ４４０のほかに、プログラム信号受信器４１４、ＧＰＳ信号受信器４１６、無線通信システム４１８、及びユーザインターフェース４４２が含まれる。これらのユニットのそれぞれが、アクセスコントローラ４４０と通信する。しかし、ＧＰＳ及び／又は他の位置決定システムが本発明に含まれず、方位がある場合に、その方位が自動的に決定される位置情報に基づかないものとすることが可能であることを諒解されたい。
【００５５】
図５に示されたシステムは、ＧＰＳ衛星４２２及び差動ＧＰＳセンタ４２４からのＧＰＳ信号を使用して、車両の位置も決定することが好ましい。衛星通信リンク４２６、セルラ／ディジタル／ＰＣＳネットワーク４２８、及び、車両とネットワーク４３２の間の通信を容易にする、当技術分野で既知の他の通信リンクを含む、さまざまな通信リンクも使用することができる。好ましい実施形態では、ＰＣＳディジタルネットワークを、データ処理センタ４３０へのアクセスに使用する。そのような通信リンクは、データプロセッサ／サーバ４３０との間又は、インターネット４３４を介して、プログラム信号に埋め込まれたオンラインアドレスによって指定されるサーバ４３６と、確立されることが好ましい。もちろん、オンラインアドレスを、プログラム信号から分離されて、当技術分野で既知の通信リンクを介して受信することができる。たとえば、アドレスを、ＰＣＳ又はセルラネットワークの制御チャネルを介して受信することができる。
【００５６】
この実施形態を、車両に関して説明するが、アクセスコントローラ４４０、受信器４１４、ＧＰＳシステム４１６、ユーザインターフェース４４２、ディスプレイ、及び通信リンク４１８のさまざまな組合せを、ハンドヘルドデバイス（パームデバイス又は携帯型情報機器）及び／又はバックパックユニットを含むすべての装置内に設けることができることを諒解されたい。更に、さまざまな他の実施形態と共に上で指定されたように、プログラム信号４１２は、オーディオ信号、ビデオ信号、又は組み合わされた信号とすることができ、無線放送信号に制限されない。
【００５７】
図６を参照すると、アクセスシステム４４０の好ましい実施形態が、詳細に示されている。前に述べたように、アクセスシステム４４０は、プログラム信号受信器４１４に接続され、プログラム信号受信器４１４は、リンク５０４を介して表示ユニット５０６（この例ではスピーカシステム）に接続される。表示ユニット５０６は、ユーザにプログラム信号及び地図作成情報又は他の方位情報を呈示することができるユニットとすることができ、これには、スピーカ、ヘッドホン、ビデオモニタが含まれるが、これに制限はされない。フラットスクリーンディスプレイ、発光ダイオード（ＬＥＤ）ディスプレイ、普通の陰極線管ディスプレイ、及びヘッドアップディスプレイ（ＨＵＤ）ユニットを含むがこれらに制限されない、さまざまな形のビデオモニタを使用できることを、当業者は諒解する。たとえば、ＨＵＤユニットを、情報をフロントガラスで運転者／ユーザに呈示するようにダッシュボードに設置することができる。更に、表示ユニットに、たとえばプログラム信号の表示用と地図又は他の方位情報の呈示用など、複数の表示モニタを含めることができる。その代わりに、当技術分野で周知のように、地図作成又は他の方位情報を、ビデオプログラム信号で搬送されるプログラムとのピクチャインピクチャ配置で又はサイドバイサイド配置で示すことができる。更に、オーディオ信号とビデオ信号の組合せを使用することができ、たとえば、ラジオプログラムをサウンドシステムで呈示しながら、位置への方位を、サウンド再生システムに付加されるかそれとは別の表示装置に呈示することができる。オーディオシステム、特に車両用の、方位を呈示するためのビデオシステムを組み込んだオーディオシステムが、当技術分野で周知である。
【００５８】
プログラム受信器４１４は、リンク５０８を介してアドレス抽出器５１０に接続される。アドレス抽出器は、受信器４１４からプログラム信号を受け取り、それに埋め込まれたアドレスを検出し、アドレスを抽出し、アドレスを復号し、プロセッサ５３０による後の使用のためにアドレスを記憶する。さまざまな他の実施形態と共に本明細書に記載されているように、アドレス抽出器５１０は、プログラム信号からアドレスを抽出するさまざまな方法を使用することができる。
【００５９】
アドレス抽出器５１０は、インジケータ信号ジェネレータ５１６への出力接続５１４を有することが好ましい。インジケータ信号ジェネレータ５１６は、プログラムに関係するより多くの情報が入手可能であること、より具体的には、プログラムに関連するか関係する目的地への方位を提供することができることを、ユーザに通知する。情報及び／又は方位は、アドレス抽出器５１０が、プログラム信号からアドレスを復号し、識別した後に、電子データベース（これは不揮発性であることが好ましい）から入手可能になることが好ましい。インジケータ信号ジェネレータ５１６は、たとえば、ビデオ画像（たとえば、ピクチャウィズインピクチャ、ロゴ、又はアイコン）をユーザインターフェース４４２に表示させる。この実施形態では、インジケータ信号ジェネレータ５２６が、所望される場合に、表示装置５２６へのリンク５２４にも出力信号を供給する。表示装置５２６は、ユーザインターフェース４４２によって提供されるものと同一の装置とするか、別の装置とすることができる。インジケータ信号ジェネレータ５１６の設計は、当技術分野で周知である。
【００６０】
ビデオ機能がないシステムの場合に、インジケータ信号を、スピーカ５２２を介して生成される可聴音声とすることができ、あるいは、インジケータ信号を、定常状態又は点滅するライト５２０、振動する自動車座席（システムが車両と共に使用される時に）、又は振動する装置（しばしばポケットベルが備える振動に似たもの）からなるものとすることができる。手短に言うと、追加情報が使用可能であることをユーザに示すことができるすべてのシステム及び／又は方法を、本発明によって使用することができる。インジケータ信号は、本発明の好ましい要素であるが、その使用は必須ではない。
【００６１】
アクセスシステム４４０は、アドレス抽出器５１０からプロセッサ５３０へのリンク５１２も有する。プロセッサ５３０は、本発明のさまざまな特徴及び機能を提供するようにプログラムされ、かつ／又は構成された汎用プロセッサとすることができる。更に、プロセッサ５３０は、必要に応じて、プログラム信号、情報信号、及びインジケータ信号を処理するように構成される。更に、プロセッサ５３０が、信号の抽出、位置データの決定（このような位置の決定システム及び信号を入手した場合）、及び通信機能の提供を含むアクセスシステム４４０のさまざまな特徴及び機能を制御し、操作し、かつ／又は実行するように、アクセスシステム４４０が構成されることが好ましい。
【００６２】
図６に更に示されているように、プロセッサ５３０は、さまざまな信号のルーティング及び制御のための中央ハブとして動作する。プロセッサ５３０は、リンク５３２によってユーザインターフェース４４２に接続され、これを介して、ユーザが選択を入力する。追加情報（地図など）が選択される時に、プロセッサ５３０は、プログラム信号１２に埋め込まれるかそれに関連するアドレスによって指定されるオンライン情報プロバイダとの通信リンクを確立する。
【００６３】
多くの普通の入力インターフェースが、ユーザインターフェース４４２としての使用によく適することを諒解されたい。図４に示されているように、ユーザインターフェース４４２に、ハンドルから手を離す必要なしに、ユーザがプロセッサ５３０へのコマンドを言葉で表現できるようにする、音声認識ユニットが含まれることが好ましい。音声認識ユニットは、音声トリガとして動作することもできる。そのような音声認識ユニットは、当技術分野で周知である。しかし、マウス、タッチパッド、タッチスクリーン、トラックボール、ジョイスティック、押しボタン、イレーザヘッド、及びキーボードなどのマイクロコンピュータインターフェースを含むすべてのユーザインターフェースを、本発明で使用することができる。ユーザインターフェースは、ユーザに便利な位置に配置されることが好ましい。たとえば、押しボタンは、車両内で、ハンドル、ダッシュボード、センターコンソール、座席などに配置することができる。本発明は、ユーザが望むあらゆるシステム又は構成に適当に適応する。
【００６４】
同様に、有線の又は無線のコントロールパネルからの単一のキー入力又は複数のキーシーケンス入力を復号する、赤外線、無線、及び可聴周波数のインターフェースを使用することができる。そのような実施形態では、ユーザインターフェース４４２が、ユーザインターフェース４４２上の特殊目的ボタンが押された時を検出し、応答信号を生成し、この応答信号によって、プロセッサ５３０が、自動的に、アドレス抽出器５１０からアドレスを入手し、オンライン情報プロバイダとの通信リンクを確立する。インターフェース４４２は、普通のコントロールユニットでキーの特殊なシーケンス（たとえば、「ＥＮＴＥＲ」「ＥＮＴＥＲ」「＋ＶＯＬＵＭＥ」などのシーケンス）が押された時を検出するように構成することもできる。
【００６５】
正確な地図作成を容易にするために、アクセスシステム４４０は、ＧＰＳ受信器４１６と通信することが好ましい。ＧＰＳ受信器は、一般的に入手可能であり、当技術分野で周知である。本発明は、そのようなＧＰＳシステムのいずれかを使用することが好ましい。しかし、ＧＰＳ受信器などの位置決定システムを使用しない代替実施形態も、本発明の範囲に含まれると見なされる。好ましい実施形態について図５に示されているように、プロセッサ５３０は、データリンク５３６を介してＧＰＳ受信器４１６から位置信号を受け取る。位置信号は、ＧＰＳ受信器４１６によって、即座に処理されるのに適するフォーマットで生成することができ、あるいは、必要に応じてプロセッサ５３０によって変換することができる。ＧＰＳ受信器４１６は、アクセスシステム５００にリアルタイム位置決定を提供することが好ましい。本発明は、ＧＰＳシステムを使用して正確な位置情報を提供することが好ましいが、本発明は、時間変化、周波数変化、及び他の測定技法を含む、信号伝送及びラジアルに基づく距離測定装置（ＤＭＥ）；ロラン；既知の送信器位置からの無線周波数の三角測量；ラジアルと結合された２つの無線周波数の交叉；及び小型携帯移動電話機からの９１１発呼者を突き止めるさまざまな方法を含む、他の位置決定システム及び位置決定手法を使用するように構成することができる。車両の位置を決定するこれらのさまざまな方法は、車両内で（アクセスコントローラ内又は類似するコンポーネント内で必要な計算を実行することによって）、又は、車両の現在位置を提供するリモート処理センタとの通信リンクを確立することによって、達成することができる。更に、本発明は、より正確な位置決定又は他の目的のために、複数の位置（ｐｏｓｉｔｉｏｎ／ｌｏｃａｔｉｏｎ）決定システムからの信号を組み合わせるように構成することもできる。当業者は、複数の位置信号を最終的な位置決定に組み合わせるのに必要なさまざまな接続、ハードウェア、及びシステムコンポーネントを諒解する。
【００６６】
アクセスシステム４４０は、データリンク５４０を介してプロセッサ５３０に接続されたモデム５４２も備える。モデム５４２は、プロセッサ５３０とデータ処理センタ４３０（図５）の間の、無線遠隔通信ユニット４１８を介することが好ましい、ディジタル信号の送信及び受信を容易にする。モデム５４２は、着信ディジタル信号を、プロセッサ５３０に適するフォーマットに変換し、プロセッサ５３０は、ビデオ信号及び／又はオーディオ信号を抽出する（たとえば、地図のビデオ表現又は可聴の方位）。アクセスシステム４４０に、表示装置５２６での表示／呈示のために非互換信号を調整又は変換する信号コンバータ５５４が含まれることが好ましい。前に述べたように、表示装置５２６は、ユーザに情報を伝えることができる装置のいずれかとすることができる。そのような装置には、地図又は方位を印刷するためのプリンタを含めることができる。
【００６７】
アクセスシステム４４０には、指示及び他の情報を記憶するためのデータ記憶手段５５０も含まれる。データ記憶手段５５０には、ランダムアクセスメモリ（ＲＡＭ）、読取専用メモリ（ＲＯＭ）、永久記憶手段（たとえば、ＣＤ及びＤＶＤ）、及び一時記憶手段（ハードドライブなど）を含めることができる。更に、ポータブル不揮発性記憶手段及び／又はポータブルな連続的に電力を提供される揮発性記憶手段も使用することができる。同様に、回路をハードワイヤリングする、内部レジスタを設ける、又はオフサイト記憶手段を使用する（たとえば図５のデータ処理センタ４３０で提供されるストレージ）ことによって、データ記憶手段なしで本発明を構成することができる。
【００６８】
図５を再び参照すると、本発明の一実施形態では、ユーザと広告主／プログラマーのサーバ４３６（すなわち情報プロバイダ）の間の接続性は、データ処理センタ４３０を介して確立される。データ処理センタによって一般的に提供される機能（たとえば、ファイルバックアップ及びデータルーティング）のほかに、センタ４３０は、ユーザの最後に報告された位置に基づいて、どのオンライン情報プロバイダに内容（たとえば地図及び方位）を要求しなければならないかを決定するために必要なデータ処理機能を提供する。センタ４３０は、インターネット４３４又は他の通信リンク４３５を介する、好ましくはプログラム信号１２と共に送信されたアドレスによって識別されるウェブサイトをホストするインターネットサービスプロバイダ（ＩＳＰ）との、通信リンクも確立する。一般に既知のインターネットプロトコルを使用して、そのようなＩＳＰ又は占有ネットに接続する。更に、センタ４３０は、公衆及び／又は私有のネットワーク及び接続を介する通信リンクを確立するように構成することができる。本発明のこの明細書、図面、及び請求項の全体を通じて、適当である場合には、インターネットへの言及を、私有ネットワーク（たとえば、イントラネット、ＡＯＬ、及びＯｎＳｔａｒ（登録商標））、公衆ネットワーク、及びさまざまな他のものを含むがこれに制限されない、さまざまな他のネットワーク及び通信接続性構成を含むものとして解釈されなければならない。
【００６９】
センタ４３０は、他のデータベース、ＩＳＰ、及びアプリケーション固有ソフトウェアパッケージを提供するアプリケーションソフトウェアプロバイダ、たとえば公衆接続又は私有接続を介して交信されるＭＡＰＱＵＥＳＴ又は他のオンライン情報プロバイダなどとの通信リンクも確立することができる。センタ４３０は、選択されたアドレスに関連する広告主／プログラマーからのデータと、アクセスシステム４００からのデータ（位置データを含む）を受け取り、データを処理し、ＭＡＰＱＵＥＳＴ又は類似する方位決定プログラムに照会を供給し、特定の位置（たとえば、広告主の多数の施設の１つ）への方位及び／又は地図を得ることが好ましい。これらの方位は、センタ４３０によって、アクセスシステム４４０への送信に適するフォーマットに変換され、アクセスシステム４４０は、そのような方位／地図をユーザに提供する。したがって、この実施形態では、センタ４３０が、プログラム信号１２と共に提供されるアドレスに応答して方位を決定するために必要な、データの解釈、ルーティング、照会、及び処理の機能の大多数を実行する。アクセスコントローラ４４０は、主に、ユーザとセンタ４３０の間の情報の導管として機能する。しかし、本明細書に記載のデータ処理機能を、望みに応じて、アクセスコントローラ４４０、センタ４３０、又は広告主／プログラマーのサーバ４３６の間で分散することができることを諒解されたい。
【００７０】
図７に、本発明のシステムのもう１つの実施形態を示す。この実施形態では、アクセスシステム４４０が、前の実施形態でセンタ４３０によって実行されたデータ操作機能及びデータ処理機能の多数を実行する。この実施形態では、アクセスシステム４４０が、広告主／プログラマーオンライン情報をホストするＩＳＰ６０８との、無線サービスプロバイダ６０４及びインターネット６０６を介する直接通信リンクを確立する。したがって、アクセスシステム４４０は、前の実施形態でデータ処理センタ４３０によって実行されたデータ要求、処理、記憶、及び操作の機能を提供する。データ処理センタ４３０の機能及び特徴を提供するために必要なプロセッサ５３０が、主に情報の導管として働くプロセッサより高い動作速度及び性能特性を必要とする可能性があることを、当業者は諒解する。さまざまな実施形態に所望される性能特性を提供できるさまざまなプロセッサが、現在存在する。適当なプロセッサのどれでも、本発明によって使用することができる。
【００７１】
同様に、第３の実施形態（どの図にも図示せず）では、アクセスシステム４４０が、インターネットを介して広告主／プログラマーから周期的にデータを検索する。検索されたデータに、プログラム信号に埋め込まれるアドレスによって参照される内容が含まれることが好ましい。内容は、アクセスシステム４４０内に設けられる記憶手段５５０（図６）に記憶される。上で説明した他の実施形態と同様に、ユーザシステムは、なんらかの伝送手段を介してプログラム信号１２の受信を続ける。更に、ユーザに方位を提供するために必要な地図作成ソフトウェア又は他の情報／プログラムが、アクセスシステム４４０内に記憶（又はハードコード）される。したがって、ユーザが、アクセスシステム４４０に、アドレスに応答して、地図及び／又は方位を生成するように指示する時に、アクセスシステム４４０は、ユーザの要求を処理するために外部のオンライン情報プロバイダとの通信リンクを確立する必要がない。その代わりに、アドレスが、アクセスコントローラ４４０によって、プロセッサ５３０を介して、記憶手段５５０内の適当なデータファイルにルーティングされる。アドレスは、必要に応じてプロセッサ５３０によって変換することができ、かつ／又は、記憶手段５５０内のファイル構造を、単一のアドレスフォーマットが本発明の実施形態のいずれかとの互換性を有するように編成することができる。
【００７２】
更に、プログラム信号１２を受信する代わりに、本発明を、仮想ラジオ／テレビジョン局が提供されるように構成することができる。仮想局は、現在、ＡＭＥＲＩＣＡ　ＯＮ−ＬＩＮＥ（登録商標）及びＹＡＨＯＯ！（登録商標）などのオンライン情報プロバイダによって提供されている。更に、仮想局は、ＴｉＶｏなどの高密度記憶手段を、所望の時刻にユーザに呈示されるプログラムのオンライン情報プロバイダからの情報ダウンロードと組み合わせることによって提供することができる。たとえば、コンサートの放送を、オンライン情報プロバイダからダウンロードし、ＴｉＶｏ又は類似する記憶媒体に記憶することができる。仮想プログラムに、ユーザが、ＧＰＳ又は類似するシステムによって決定されるユーザの現在位置に基づいてマーケティングされるレストラン、小売り施設、又は類似する位置に近接している時に、販売される商品／サービスについてユーザに通知するようにデザインされた、コマーシャル、インジケータ及びさまざまな他の販売促進手段を含めることができる。
【００７３】
第４の実施形態（図示せず）では、アクセスシステム４４０に、更に、ディジタルバーサタイルディスク（ＤＶＤ）プレイヤ及びＣＤ−ＲＯＭプレイヤなどの媒体再生装置が含まれる。この実施形態では、選択されたアドレスによって、記録された媒体（ＤＶＤ／ＣＤ　ＲＯＭ）に含まれる内容が指定され、プロセッサ５３０が、それを適当に識別し、検索する。ＩＳＰ又はデータ処理センタとの通信リンクは、この実施形態では、日常的に確立はされない。その代わりに、アドレスに応答して方位を提供するために必要な情報のすべてが、アクセスシステム４４０と通信して使用されるＤＶＤ、ＣＤ、及び他の記憶手段内で提供される。更に、プログラム信号自体を、事前に記録し、これによって、ローカル記憶域から再生することができる。
【００７４】
本発明のもう１つの実施形態では、ユーザに、「クリック」するかアクセスコントローラ４２に適当に指示して、ＧＰＳシステムによって決定されるユーザの現在位置に最も近い位置又は別の位置（たとえば、ＧＰＳを備えたシステムが使用不能な時）に購入注文を送信することによって、プログラム信号中に示される商品／サービスを購入する機会が与えられる。たとえば、ユーザに、Ｋ−Ｍａｒｔ（登録商標）でのある製品の特別割引品の広告が呈示される時に、ユーザは、ユーザインターフェース５６のボタンの単純な「クリック」又は押下げによって、そのような製品の注文を送信することができる。本発明のシステムは、ユーザの現在位置及びオンライン情報プロバイダを使用して、最も近いＫ−Ｍａｒｔの位置を決定する。本発明は、その後、指定されたＫ−Ｍａｒｔに関する注文を受け入れるシステムとの通信リンクを確立し、宣伝されている製品を注文し、ユーザの現在位置から指定されたＫ−Ｍａｒｔへの方位を提供する。同様に、ユーザ位置情報が使用可能でない時に、購入要求を処理でき、その後、ユーザがＭＯＴＥＳシステムとの互換性を有する位置に進むことができ、小売り位置への到着時に、その位置がＭＯＴＥＳ情報を受信し、要求を促進するように、システムを構成することができる。
【００７５】
同様に、車両１９６に関するアドレス情報も、プログラム信号１２でマーケティングされる施設に関するローカルな特価品を識別するために使用することができる。これらのローカルな特価品は、オンライン情報プロバイダとの通信リンクを確立することによって、もしくは、リモートデータベース又はローカルデータベースにアクセスすることによって、識別することができる。
【００７６】
本発明を、ＩＳＰ、データ記憶手段、及びデータ処理センタとのさまざまな接続性方式を使用するさまざまな実施形態に関して説明してきたが、本発明が、特定の動作理論、システム実施形態、ハードウェア構成、又は通信ネットワークに制限されないことを諒解されたい。好ましい実施形態に関して、ＧＰＳ又は他の位置データと、プログラム信号と共に提供されるアドレスとの組合せをもたらすすべてのシステムが、本発明の範囲内であると見なされる。しかし、位置決定機能を備えないシステムも、本発明の範囲に含まれると見なされる。更に、本発明は、ストリーミングされたオーディオデータ、ビデオデータ、及び他のデータを受信し、処理するように構成されることが好ましい。しかし、本発明は、ストリーミングされるデータ及び／又はストリーミングされないデータと共に使用することができ、特定の信号フォーマット又は伝送媒体に制限されると解釈してはならない。
【００７７】
システムの動作を、図８に示された例示的な処理フロー及び前の実施形態で示したさまざまなシステムコンポーネントに関してこれから説明する。好ましくは埋め込まれた情報信号を含むプログラム信号４１２が、放送会社４１０によって送信されるか、ユーザからローカルであれリモートであれ、事前に記録された媒体（ＤＶＤ、ディジタルテープ、ＣＤ　ＲＯＭ、ＴｉＶｏ記憶手段、仮想ラジオ／テレビジョン局、又は類似物）から受け取られる。オンライン情報プロバイダの位置を表すことが好ましいアドレスが、プログラム信号に埋め込まれるか、プログラム信号と別に送信される。アドレスが、プログラム信号に埋め込まれない場合には、アドレスを、プログラム信号伝送手段と同一の伝送手段からのデータチャネル内で送信することができ、あるいは、ＰＣＳ又はセルラネットワークなど、代替伝送手段を介して受信することもできる。アドレスは、表示されず、プログラムの呈示に干渉しないように送信されることが好ましい（図８の「開始」、ブロック７００によって表される）。ユーザは、リモート供給源又はローカル供給源のいずれかからプログラム信号を受け取る（ブロック７０２）。プログラム信号の受取は、当技術分野で一般に既知であるように、プログラム信号の受取及び変換が可能な任意のシステムによるものとすることができる。そのようなシステムには、ラジオ、表示機能を有する特殊化された無線装置、携帯型情報機器（ＰＤＡ）、テレビジョン、及びコンピュータが含まれる。この説明のみにおいて、そのようなプログラム信号は、無線放送信号（アナログ又はディジタルのいずれか）である。
【００７８】
プログラム信号を受け取った後に、その信号が、アドレス抽出器に供給され、アドレス抽出器は、アドレスがプログラム信号内に存在するか、あるいはプログラム信号と共に通信されたかどうかを決定する（ブロック７０４）。アドレスが、プログラム信号４１２に存在する時に、アドレス抽出器５１０は、アドレスを検出し、復号し、記憶する。アドレスの記憶は、記憶手段５５０内、アドレス抽出器５１０に含まれるメモリ内、又は他の記憶手段内で達成することができる。アドレスが、プログラム信号と別に受け取られる場合には、アドレスは、使用される特定の伝送手段又は再生モジュールとの互換性を有する普通の受信器モジュールによって受け取られる。
【００７９】
アドレスが、成功裡に検出され、復号され、かつ／又は記憶される時に、アドレス抽出器５１０は、インジケータ信号ジェネレータ５１６を活動化する（ブロック７０６）。インジケータ信号ジェネレータ５１６が、インジケータ信号を作る。インジケータ信号は、別の信号通知装置（たとえば、スピーカ５２２又はライト５２０）を介してユーザに呈示することができ、呈示されるプログラムにオーバーレイする（たとえば、スピーカシステム５０６を介して可聴音声を供給することによって）ことができ、あるいは、別の表示装置５２６（たとえば、ＨＵＤユニット又はビデオモニタ）に表示することができる。
【００８０】
ユーザが、アドレスによって識別されるオンライン情報プロバイダにアクセスすることを望む場合に、ユーザは、たとえばダッシュボード、ハンドル、又は他の装置／位置に配置された特殊なボタンを押すことによって（ブロック７０８）、又は音声認識システムが知っている所定の音声コマンドを発行することによって、アクセスコントローラ５１０にコマンドを与える。アクセスシステム４４０は、ユーザがその中でインジケータ信号を選択できる時間ウィンドウを提供することが好ましい。この機能は、渋滞の中で車両を運転する時などの、ある応用例で望ましい可能性がある。ユーザが、指定された時間のうちにボタンを押さず、又は、適切な音声コマンドを発する等の他のトリガー信号を提供しない場合（ブロック７１４）、アクセスシステムは、インジケータ信号を非アクティブにし、通常の動作を再開する（すなわち、プログラム信号を呈示しながら次の情報信号の受取を待つ）。代替案では、インジケータシステムが、本発明に必要ではない。この場合には、オンライン情報が、プログラムに関して入手可能であり、ユーザが、上で説明したようにユーザインターフェースを介してオンライン情報をアクティブにすることができると仮定する。
【００８１】
前に述べたように、本発明は、プログラム信号内でのアドレスの受取に応答するユーザへの情報の自動的なプッシュもサポートする。本発明は、データをプッシュするように構成される時に、インジケータ信号を生成する（使用可能な情報についてユーザに通知するために）が、そのようなデータを提供する前にユーザの応答／コマンドを必要としないことが好ましい。本発明は、データのタイプ、ユーザの望み、ユーザプロファイル、又はデータの送信側によって提供される指示に基づいて、あるタイプのデータだけをユーザにプッシュするように構成することもできることを諒解されたい。たとえば、非常用放送信号（ＥＢＳ）などのプログラム信号内のアドレスを適当に指定することによって、そのようなＥＢＳが、すべてのユーザに自動的に送信されるか、ある地域内のユーザだけに送信されるように本発明を構成することができる。そのようなシステムは、たとえば、台風がよく来る区域で、接近しつつある嵐について運転者に警告し、最も近い避難場所への方位を示すのに、非常に有益である。
【００８２】
図８に戻って、ユーザが、インジケータ信号を選択し、これによって、アクセスコントローラ４４０に、オンライン情報との通信リンクを確立する（又は、独立型ユニットの場合に、ローカルデータ記憶手段から情報をリコールする）ように指令する時に、システムは（プロセッサ５３０を介して）、前に上で説明したように、ＧＰＳ又は他の位置決めデータが使用可能であるかどうかを決定する（ブロック７１０）。ＧＰＳ又は他の位置データが使用可能でない場合には、アクセスシステム４４０は、ユーザが、可能であれば現在位置を識別することを望むかどうかを問い合わせる（ブロック７１８）。ユーザが、現在位置を識別しないかできない場合には、好ましい実施形態については、アクセスシステム４４０は、ユーザにエラーメッセージを送り、セッションを終了する。代替実施形態について、アクセスシステム４４０を、図８に示されているように、使用可能な位置データなしで、処理を継続するように構成することができる。
【００８３】
ユーザが、自分の位置を識別できる時には、ユーザは、そのような情報をシステムに入力する（ブロック７２０）。ユーザは、そのような情報を（他の入力及び／又はコマンドをシステムに供給するほかに）、キーパッド入力、音声入力、及びタッチスクリーン入力を含むがこれに制限されない、可能な形のいずれかによって入力することができる。好ましい実施形態では、ＧＰＳデータが使用可能でない時に、ユーザが、交差点を言語によって入力する（たとえば、Ｎ．Ｂｒｏａｄｗａｙ　ａｎｄ　Ｃｏｌｆａｘ）。しかし、ＤＭＥ、ロラン、９１１セルラ位置決定、住所、目印、郵便番号、地図のグリッド座標などの他の位置を指定するものを使用することができる。
【００８４】
ＧＰＳデータが使用可能である場合には、アクセスシステム４４０が、ＧＰＳ受信器４１６からそのような位置データを得る（ブロック７１２）。ＧＰＳ受信器４１６は、変化するレベルの精度について設定されることが好ましい可能性がある。一般に知られているように、ＧＰＳ衛星からの信号だけに基づく位置の決定は、しばしば、数メートル以内の精度である。本発明のほとんどの応用例について、そのような精度は十分以上である。しかし、より高い精度が必要な時には、本発明を、差動ＧＰＳ信号及び他の補償技法を使用するように構成することができ、これらの技法のすべてが、当技術分野で一般に既知である。
【００８５】
好ましい実施形態について、ＧＰＳ位置データ、他の位置データ、及び／又はユーザが入力する位置データを受け取る時に、アクセスシステム４４０が、位置データとアドレスを、データ処理センタへの送信に適するコンポジット信号にコンパイルすることが好ましい（ブロック７２２）。このコンパイルは、一般に、システムがデータ処理センタと共に動作するように構成される時に行われる。システムが、独立に方位を決定するように構成される時には、そのようなコンパイルが、必要でない場合がある。その代わりに、アドレスだけを、ウェブブラウザを介して通信する必要がある場合がある。
【００８６】
アクセスシステム４４０がデータ処理センタ４３０と交信する、上で説明した好ましい実施形態を続けると、コンパイルされた信号伝送（アクセスシステム４４０からの）が、データ処理センタ４３０によって受信される。データ処理センタ４３０は、コンパイルされた信号からオンライン情報プロバイダのアドレスを抽出し、オンライン情報プロバイダ４３６との通信リンク（一般にインターネットを介する）を確立する（ブロック７２４）。この時点で、データ処理センタ４３０は、その中にアドレスが埋め込まれた無線信号に対応するオンライン情報プロバイダ（すなわち無線広告又はプログラムの特徴）によって識別される位置の一覧表をダウンロードする。本発明は、ストリーミングされるデータならびにストリーミングされないデータをサポートする。ある情況では、ストリーミングされたデータが望ましいが、他の情況では、ストリーミングされないデータが望ましい。本発明は、望みに応じてこの両方のデータタイプをサポートするように構成することができる。
【００８７】
ユーザ位置データを入手した場合には、オンライン情報プロバイダからダウンロードされたファイルを使用して、データ処理センタ４３０は、オンライン情報プロバイダに対応する最も近い施設の位置を決定する（ブロック７２６）。データ処理センタは、広告主の施設をユーザの最後に報告された位置と比較することによって、最も近い位置を決定する。ユーザが、位置をすばやく変更しつつある（たとえば、高速道路を移動しつつある）時には、アクセスシステム４４０は、必要に応じて、周期的に位置更新をデータ処理センタ４３０に供給することが好ましい。代替案では、システムを、ユーザがいつでも方位について広告を選択できるように、各広告と共に方位情報を表示するように構成することができる。
【００８８】
たとえば、車両で移動している間に、ユーザが、ＭｃＤｏｎａｌｄｓ（登録商標）のラジオ広告を受信する場合がある。広告すなわちプログラム信号に、ＭｃＤｏｎａｌｄｓレストランの位置に関する情報を得ることができる位置を適当に識別するアドレスが含まれることが好ましい。本発明を実施するシステムは、プログラム信号内のアドレスの受信時に、ユーザに位置情報を自動的にプッシュするように構成されることが好ましい。更に、広告に、「あなたの近くにＭｃＤｏｎａｌｄｓがあります」などの句が含まれることが好ましい。本発明は、その句に応答して方位が自動的に生成されるように構成されることが好ましい。そのような方位には、地図又は、「北に２ブロック進むと右側にＭｃＤｏｎａｌｄｓがあります」などの口頭メッセージを含めることができる。
【００８９】
更に、宣伝される施設の最も近い位置を決定するために、さまざまな技法及び方法を使用することができる。そのような技法に、郵便番号比較と、緯度／経度の測定及び比較を含めることができる。本発明は、ユーザの位置及び／又はプログラム信号に存在するアドレスに関連する施設の最も近い位置の決定用の特定の方法又は処理に制限されない。
【００９０】
同様に、本発明は、ユーザの現在位置に基づいて広告を生成するように構成することができる。この実施形態では、ユーザの位置が、データ処理センタに供給され、データ処理センタが、ユーザの現在位置から所与の近さにある施設の広告を適当に送信する。しかし、ユーザが、中央処理センタがいつもユーザの位置を知ることを望まない場合には、広告を、ローカルデータベースから生成することもできる。
【００９１】
最も近い位置を決定した後に、データ処理センタ４３０は、そのような情報をアクセスシステム４４０に通信する。データ処理センタ４３０は、遠隔通信リンクを終了することができ、繰り返して遠隔通信リンクを確立する必要がなくなり、これによって電力の必要及び「無線」接続料金が最小になるように、十分な情報（地図、位置、及び方位を含む）を通信することが好ましい。しかし、望まれる場合に、遠隔通信リンク（インターネットリンクを含む）が継続的に確立されるように、システムを構成することができる。したがって、ストリーミングされるデータ伝送及びストリーミングされないデータ伝送の両方が、本発明によってサポートされる。
【００９２】
アクセスシステム４４０が、最も近い広告主／プログラマーの施設の位置を決定するかデータ処理センタ４３０から受信した後に、システムは、位置情報が使用可能であることをユーザに通知するインジケータ信号を生成する（ブロック７２８）。ユーザは、インジケータ信号を選択し、これによって、アクセスシステムに、指示、方位、及び地図を提供するように指示することができる（好ましい実施形態では、ユーザが、情報を呈示するフォーマットを選択することができる）（ブロック７３０）。ユーザが、指示された時間期間以内にインジケータ信号を選択しない場合（ブロック７３２）、システムは、情報の保存又は破棄のいずれかを行うことができる（ブロック７３６）。システムは、ユーザが、後の検索のために情報を保存できるようにすることが好ましく、これは、ユーザが渋滞の中で運転している時に特に有用になる可能性がある。
【００９３】
ユーザがインジケータ信号を選択した時には、システムは、要求された情報を、ユーザが指定したフォーマット（複数のフォーマットが可能である時）で提供する（ブロック７３４）。システムは、そのように構成される時に、たとえばＨＵＤユニット又はビデオモニタを使用して、曲がるべき場所を指定する矢印を表示することによって、固定通信運転方位を提供することができる。同様に、システムを、たとえば「次の交差点を右折」など、口頭運転指示を提供するように構成することができる。したがって、このシステムを、ナビゲーション指示に関して望まれる精度のレベルを提供するように構成することができる。代替案では、システムが、ユーザがインジケータシステムに応答する必要なしに、方位を提供することができる。この形では、方位が、自動的にユーザに提供される。
【００９４】
本発明のある応用例では、ユーザが、プログラム信号に関連する位置の一覧表を受信することを望む場合がある。最も近い位置への方位を生成する代わりに、又はそれに追加して、プログラム信号の内容に関連する位置の一覧表をユーザに提供するように、本発明を構成することができる。同様に、アイコン及びさまざまな他のインジケータを使用して、ディスプレイ又は地図でそのような位置を識別するように、本発明を構成することができる。たとえば、ＭｃＤｏｎａｌｄｓの広告に関連するアドレスに応答して、ユーザの現在位置の所与の半径の中、又は、プログラム信号を受信可能な地理的領域中において、各ＭｃＤｏｎａｌｄｓレストランを識別する地図を生成するように、本発明を構成することができる。地図は、ＭｃＤｏｎａｌｄｓの金色のアーチ「Ｍ」を重畳することによって各レストランの位置を指定し、最も近い位置が、太字、異なる色、より大きいタイプサイズ、又は類似物によって指定されることが好ましい。ユーザが、これらの位置の１つを選択する時に、本発明は、ユーザの現在位置（これは、ＧＰＳ位置情報に基づいて決定され、又は、例えば、ユーザによって地図上にインプットされる）から選択された位置への方位を生成すると同時に、たとえば選択された位置を囲む円を重畳することによって、選択された位置も指定することが好ましい。同様に、ユーザの現在位置及び方位を、方向矢印によって適当に表示することができる。本発明は、ユーザが、そのような位置指定を保存できるようにし、これによって、事前に計画された道を続けながら、将来の参照のために位置情報を保持できるようにする。
【００９５】
このシステムは、位置及び方位を保存する機能も提供する（ブロック７３６）。たとえば、システムは、ユーザが、方位が使用可能であることを指定するインジケータ信号を選択する時に、ユーザの位置を保存することができる。この形で、システムは、ユーザが出発点に戻れるようにする指示をユーザに与えることもでき、これによって、ユーザが道に迷わないことが保証される。自宅、仕事場などの既知の位置をデータ記憶手段に記憶することによって、情報信号によって指定される施設を訪れた後に、ユーザに既知の位置への道を教えるように、本発明を構成することができる。データ記憶システムは、このシステムが、情報信号に応答して施設の位置を記憶できるようにし、これによって、望みに応じてユーザがアクセスできる位置のデータベースが提供される。
【００９６】
本発明のもう１つの実施形態では、本発明の能力を更に強化して、商品／サービスに関するトランザクションに加わり、完了し、位置への到着時のユーザへの商品／サービスの配送を促進することによって、ユーザに商品／サービスを売り、そのような商品／サービスに関心を持つユーザに、売られた商品／サービスを提供する位置への道を教えるシステムを提供する。図９に示されているように、この実施形態は、前の実施形態について前に識別されたコンポーネントに加えて、ＭＯＴＥＳインターフェース手段９０２及びＭＯＴＥＳリーダ９０４と位置注文プロセッサ９０６を使用することが好ましい。単純さと明瞭さのために、前の実施形態で前に識別されたコンポーネントのすべてを、図９に図示しない。しかし、この実施形態に、表示装置、ユーザインターフェース手段、インジケータ信号ジェネレータ、アドレス抽出器、信号コンバータ、及び、前に述べた前の実施形態の特徴及び機能を提供するために必要な他の装置が含まれることを諒解されたい。
【００９７】
より具体的には、この実施形態は、ユーザが、プログラム信号及び／又はその代替物で販売促進される商品／サービスを迅速に受け取るのに必要なトランザクションのステップ及びアクションを完了できるようにするシステム及び方法を提供することによって、前の実施形態の上に構築される。図からわかるように、この実施形態には、プログラム信号受信ユニット４１４が含まれ、プログラム信号受信ユニット４１４は、データ処理センタ４３０からのプログラム送信システム４１０を介するプログラム信号に関連する情報を識別するアドレスを含むプログラム信号を受け取ることが好ましい。しかし、このシステムは、前に他の実施形態に関して述べたように、さまざまなシステム及び方法のいずれかを介してプログラム信号を受信することができる。このシステムには、通信ユニット４１８も含まれ、通信ユニット４１８は、適当な無線通信ネットワーク４２６を介してデータ処理センタ４３０又は他の位置（たとえば、ローカル施設）との通信を容易にする。この実施形態では、無線通信ユニット４１８が、ユーザの要求をシステムによって識別される位置に通信するために適当に使用される。しかし、有線ネットワーク又は有線接続も使用できることを諒解されたい。
【００９８】
更に、この実施形態には、ＧＰＳ受信器ユニット４１６又は類似する位置決定システムが含まれ、これによってユーザの現在位置が決定され、プログラム信号と共に提供されるアドレスに関連する位置を識別し、そこへの方位を提供するのが簡単になる。前に説明したように、位置決定システムを使用しない代替実施形態を提供することもできる。プロセッサ４４０が、システムの動作及びユーザその他とのインターフェースを適当に制御する。
【００９９】
ＭＯＴＥＳインターフェース手段９０２も、本発明と共に提供される。ＭＯＴＥＳインターフェース手段９０２は、ユーザが、パスコードを入力するか、コードをスキャンするか、類似する動作を実行することを必要とせずに、位置に対するユーザ又はユーザの車両の識別を容易にする。本発明によって指定される位置へのユーザの到着の際に、ＭＯＴＥＳリーダ９０４が、ユーザを識別し、トランザクションの残りを、使用可能な自動支払い請求システムを使用して完了できるようにする。ユーザの識別及び料金の支払いの自動化のためのＭＯＴＥＳの使用は、当技術分野で周知であり、本明細書ではこれ以上詳細には説明しない。そのようなシステムは、たとえば、車両の識別及び料金の支払いを促進する（ＥＺＰａｓｓシステムによって提供されるように）のに、長年使用されている。この実施形態では、識別と、活動（すなわち、商品又はサービスの購入）に関連する料金の支払いを促進するどのような識別支払いシステムでも使用することができ、特定のシステム又は方法に制限されると解釈してはならない。したがって、カードリーダ、キーパッド、及び他の装置を、単独で又はＭＯＴＥＳと共に使用して、ユーザを識別することができる。そのようなシステムは、車両の所有者が、一般に車両の運転者又はユーザでない時に、非常に望ましくなる可能性がある。たとえば、本発明を実施するシステムを装備したレンタカーがそうである。
【０１００】
本明細書で前に示したように、この実施形態は、プログラム信号を介するユーザへの販売促進及びユーザによる商品／サービスの識別と、その後の（適当な処理能力が使用可能な時）そのような商品／サービスを提供する位置への方位の提供とを容易にするように構成される。更に、この実施形態は、指定された位置へのユーザの到着に先立って注文及びトランザクション要件を達成できるようにし、その後、指定された位置へのユーザの到着時にそのような商品／サービスの迅速な提供を容易にすることを可能にする、システム及び方法を提供する。図１０に、そのような特徴及び機能を提供する、この実施形態によって使用される処理の例示的な流れを示す。
【０１０１】
図１０に示されているように、また、図９を参照すると、この処理は、ユーザのユニット９０８が、追加情報を識別するアドレスを含むプログラム内容を含むプログラム信号を受信する時（ブロック１００２）に開始されることが好ましい。ユーザのユニット９０８は、アドレスが使用可能であることを適当に識別し、ユーザへのインジケータ信号を生成する（ブロック１００４）。アドレスがユーザにプッシュされる、前の実施形態で述べたように、システムは、ブロック１００４を除去し、ユーザが情報の受け取りを望むことを示した後に、アドレス又は追加情報のユーザへの自動的なプッシュに進むことができる。したがって、この実施形態は、「プッシュ」システム又は「プル」システムのいずれかとの互換性を有することが好ましい。
【０１０２】
アドレスをユーザに示すか自動的にプッシュした時に、この処理は、ユーザがインジケータ信号を選択する時に継続される。この時点で、システムは、ＧＰＳ又は他の位置決定システムを使用して、ユーザの位置を決定する（ブロック１００６）（使用可能な時に）。その後、システムは、選択されたアドレス／インジケータ信号に関連する最も近い位置（位置決定が使用可能である時に）についてユーザに助言し、そこへの方位を提供する（ブロック１００８）。したがって、この点までは、この実施形態が、前の実施形態に似た形で機能する。
【０１０３】
この点で、システムは、ユーザへの商品／サービスの提供を促進するためにユーザがＭＯＴＥＳ又は互換システムを使用することを望むかどうかを問い合わせる（ブロック１０１０）ことが好ましい。前の例から明瞭であるように、ユーザによるある位置への要求のサブミットは、たとえば要求にについて電話をかけることによるなど、ＭＯＴＥＳを使用せずに達成することができる。この実施形態は、自動化された要求及び関連トランザクション処理能力を提供することによって、前の実施形態の機能を適当に拡張する。図からわかるように、ユーザがＭＯＴＥＳの使用を望まない時には、システムが、位置への方位をユーザに与え（ブロック１０１１）、前の実施形態で識別された処理（すなわち、方位更新の提供及び方位の保存）を再開する。
【０１０４】
ユーザが、この実施形態の機能と組み合わせてＭＯＴＥＳを使用することを望む場合には、処理は、ユーザが、位置又は関連するデータ処理センタによって供給されたメニューへのアクセス又は選択候補の入力を望むかどうかを問い合わせることによって継続される（ブロック１０１２）。手短に言うと、この実施形態は、ユーザが、宣伝された商品／サービス及び／又は代替の商品／サービスを選択できるようにすることが好ましい。たとえば、自動車で移動中のユーザが、Ｂｉｇ　Ｍａｃｓ（登録商標）を半額で提供するＭｃＤｏｎａｌｄｓのラジオコマーシャルを聞き、このプログラム信号内で、ユーザの現在位置に基づいて最も近いＭｃＤｏｎａｌｄｓを識別するためのアドレスが提供される場合がある。ユーザが、ＭｃＤｏｎａｌｄｓの製品を購入することを望む可能性があり、この製品に宣伝された特別な及び／又は他の商品が含まれる可能性があるので、システムが、追加のメニュー項目を呈示する（視覚的に又は可聴的に）必要があるかどうかに関してユーザに問い合わせることが好ましい。ユーザが、問合せに肯定的に応答する時に、システムは、ユーザがそこから選択することができる追加の又は代替の選択候補を提供する（ブロック１０１６）。ＭｃＤｏｎａｌｄｓの例に戻ると、そのような選択候補は、ビデオ表示装置上でメニューを表示するか、たとえばユーザが追加の項目を注文したいかどうか（たとえば飲物及びフレンチフライ）を、無線通信ネットワークを介して店員（コンピュータ化することができる）にユーザに質問させることによって呈示することができる。したがって、この実施形態では、ユーザが、プログラム信号内のアドレスの受信に基づいて最も近い位置への完全な注文を指定できるようにすることが好ましい。
【０１０５】
同様に、いくつかの場合に、ユーザが、追加の品目を注文することを望まず、したがって、ブロック１０１２の照会に否定的に応答する場合がある。その場合には、この実施形態は、ユーザが前にＭＯＴＥＳの使用に対して肯定的に応答したので、売られ、プログラム信号内のアドレスに関連する商品／サービスの要求をサブミットする（ブロック１０１４）。
【０１０６】
ユーザの要求の入力時（メニュー選択候補に応答すること、又はブロック１０１２の照会に「いいえ」を応答することのいずれかによる）に、システムは、要求をプロバイダ又はプロバイダが指定した位置に通信することによって継続する（ブロック１０１８）。好ましい実施形態では、ユーザが、位置と直接に実際に通信する必要はなく、その代わりに、システムが、ユーザから要求を得るのに必要なプロンプト及び処理を提供する中央データ処理センタを使用する。そのような実施形態では、通信障壁（たとえば、言語、伝送の明瞭さ、バックグラウンドノイズ）が減ると予想される。というのは、要求が、まず中央データ処理センタに提供され、中央データ処理センタが、要求を適当に変換し、操作した後に、要求が、たとえばデータ処理センタ４３０と目的地位置９１０の間のインターネット／ネットワーク接続４３４を介して、位置に通信されるからである。
【０１０７】
システムは、ローカル言語に適当に変換することができる（たとえば、英語を話すユーザが、主にドイツ語が使用される国を旅行する時に、母国語をドイツ語に変換させる）世界共通語で注文を目的地位置９１０に通信することが好ましい。言語変換のプログラム及びシステムは、当技術分野で周知であり、そのようなシステムのどれであっても、本発明によって直接に又は間接的に（たとえば、翻訳サービスを提供するインターネットサイトを介して）使用することができる。同様に、ユーザのシステム９０８とベンダのシステム９１０の間の通信を、直接的又は間接的とすることができることと、どのレベルの操作容易性又はシステム機能性であっても、望みに応じて、システム９００又はそのさまざまな要素によって、全体として又は個別に提供することができることを諒解されたい。
【０１０８】
現実の世界の情況での本発明の動作を例示するために、下記のシナリオが発生すると仮定されたい。ある都市内を移動している間に、Ｐｉｚｚａ　Ｈｕｔ（登録商標）に関する、埋め込まれたアドレスを含むラジオ広告が、呈示される。夕食を購入することを望むユーザが、ピザの調理を５分以上待つ必要なしに、到着時に現金で支払う必要もなしに、最も近いＰｉｚｚａ　Ｈｕｔの位置を決定し、ドライブスルーウィンドウを介してピザ注文を手に入れることに関心を持つ。最も近いＰｉｚｚａ　Ｈｕｔを探して都市内をあてもなく移動するのではなく、無線電話で情報を呼び出すのでもなく、ユーザは、インジケータ信号を受け取る時に、アクセスシステム４４０に、アドレスを抽出し、Ｐｉｚｚａ　Ｈｕｔの中央注文処理システムとの通信リンクを確立するように指令する。インターネットを介するか他の形で交信できる中央注文処理システムは、ユーザが供給する位置情報を使用して、最も近いＰｉｚｚａ　Ｈｕｔレストランの位置を決定し、このＰｉｚｚａ　Ｈｕｔレストランが、ユーザの到着の推定時刻までにユーザの注文を処理することができる。システムは、ユーザに、特価品を含むさまざまなメニューオプションを呈示する（最も近いＰｉｚｚａ　Ｈｕｔへの到着時にユーザが待つ必要がないことが好ましい）。ユーザが注文を完了した時に、中央注文処理システムが、注文の位置確立を適当に通知すると同時に、顧客から支払い情報も得る（デビットカード又はクレジットカードの情報などの保存された支払い情報を使用して自動的に達成されることが好ましい）。同時に、システムが、交通道路状態情報などの他のデータベースを使用して、顧客の注文を満たすレストランの位置へユーザが移動するための最適経路を決定する。
【０１０９】
レストランに到着した時に、ユーザの車両が、車両のＭＯＴＥＳインターフェース手段９０２によって生成される信号を介して、又は、たとえば車両のナンバープレート番号などの別の識別子によって、識別されることが好ましい。その後、ユーザの注文が、好ましくは遅れなしで、ユーザに提供される。したがって、本発明のこの実施形態は、ユーザが、プログラムに応答でき、そのようなプログラム内で示される商品／サービスのプロバイダの位置を決定でき、そのような位置に到着する前にトランザクション要件を完了できるようにし、これによって、ユーザへの商品／サービスの提供を促進すると同時に、そのような販売労力の効果を大幅に強化する。手短にいえば、ＧＰＳデータを、オンライン情報プロバイダの集合及びプログラム信号と組み合わせることによって、本発明は、効率的な交信、取引、会社の発見、及びプログラム信号を受信するユーザへのそのような会社による商品／サービスの提供を容易にする。
【０１１０】
本発明を、ラジオ放送に応答して車両の運転手に方位を提供するシステム及び方法に関して説明してきたが、本発明が、その応用分野において、運転のシナリオだけに制限されないことを諒解されたい。放送プログラム信号４１４を、現在使用可能なオーディオ／ビデオ再生システム（たとえば、ビデオカセットレコーダ、コンパクトディスクプレイヤ、又はディジタルバーサタイルディスクプレイヤ）に置換することによって、本発明を、さまざまな私的用途及び車両関連用途に使用することができる。
【０１１１】
たとえば、歴史的な都市（たとえばロンドン）の旅行ルート（徒歩の旅行又は乗車旅行のいずれか）を、コンパクトディスクで提供することができる。プログラムを呈示する時に、信号がプログラムに埋め込まれ、これによって、特定の停止点に旅行バスが到着する時に、インジケータ信号がトリガされ、ユーザが、たとえばイギリスのロンドンにあるグローブ座でのシェークスピアのマクベスのその夜の上演の予約を行えるようになる。旅行者の忙しいスケジュールに対応するために、本発明を、たとえばＰＤＡ上で維持されるユーザのスケジュールと両立するように上演の予約を手配するように構成することもできる。この実施形態では、ユーザが、上演に関する予約を行い、劇場の位置を保存し、ホテルから劇場への方位を入手し、すべてのトランザクションの詳細を完了し、ユーザが単に劇場に到着し、上演時間の前に自分の席に進めるようにすることができる。
【０１１２】
同様に、本発明を、美術館で使用して、美術館のさまざまな区域への方位を提供し、ユーザが、単にインジケータ信号に応答し、入手したい商品／サービスを指定することによって、展示物に関係する品目（たとえば書籍及びポスタ）を購入できるようにすることができる。たとえば、フランスのパリにあるルーブル美術館のオーディオツアーに加わるユーザは、モナリザを見ている間に、追加の美術作品が展示されており、レオナルドダビンチの生涯及び作品に関する詳細な書籍が即座に入手可能であることを指定するインジケータ情報を与えられることが好ましい。ユーザが、そのような書籍を購入するコマンドをシステムに与える時に、システムが、そのユーザに書籍を提供するように美術館の係員に自動的に通知し、自動的に、たとえばＣＤガイドシステムの保証金として適当に保持されているユーザのクレジットカードに、課金することが好ましい。そのようなトランザクションを容易にするために、システムが、その情報が正しい利用者に書籍を確実に配送するために美術館係員に提供される位置決定を備えることが好ましい。更に、ユーザは、美術管内のどこにいるかなどの位置情報及び他の情報を入力することもできる。たとえばチェックアウトの時に撮影されるディジタル写真識別などの他の識別も、混雑した展示室内でユーザを識別するために使用することができ、ディジタル写真は、プログラム信号を介して、ユーザを識別するために係員に提供される。電子追跡システムなどの他のユーザ識別装置を、望みに応じて本発明によって使用することができる。
【０１１３】
したがって、本発明は、ユーザがプログラム信号を受信し、プログラム信号の内容に関する追加情報を望むか購入を行う、事実上すべての環境で使用することができる。本発明は、ハードウェア、ソフトウェア、位置決定装置又は位置決定技法（もしくはこれらの不在）、及び通信リンクのあらゆる所望の組合せを使用して達成することができるが、好ましい実施形態では、埋め込まれたアドレスを含むプログラム信号を受信することができるアクセスシステム、無線通信リンク、ＧＰＳナビゲーションユニット、及びＭＯＴＥＳ支払い識別システムを、前に述べた特徴及び機能を提供する単一のシステムに組み合わせる。
【０１１４】
本発明を、その好ましい実施形態に関して具体的に説明し、図示したが、本発明の趣旨及び範囲から逸脱せずに、上の説明又は図面の変更を、形態又は詳細に関して行うことができることを当業者は理解するであろう。
【図面の簡単な説明】
【図１】
本発明によるオンラインサービスアクセスシステムを示すブロック概略図である。
【図２】
図１のオンラインアクセスシステムで使用されるアクセスコントローラのブロック概略図である。
【図３】
本発明に従って、コンピュータ内で使用されるアクセスコントローラのもう１つの実施形態のブロック概略図である。
【図４】
ラジオ又は車載テレビジョン上のプログラム又は宣伝に関係する方位が、車両内のユーザに表示される、本発明の一実施形態を示す図である。
【図５】
プログラム信号で提供される内容に関係する施設の方位が、機能的にオンライン情報プロバイダに接続されるデータ処理センタとの無線通信リンクを介して車両で得られる、本発明の一実施形態の諸要素のブロック概略図である。
【図６】
本発明のＧＰＳ実施形態で使用されるアクセスシステムのブロック概略図である
【図７】
ユーザが、図５に示されたデータ処理センタをバイパスして、インターネットに直接に接続される、本発明の実施形態のブロック概略図である。
【図８】
本発明の、位置を決定し方位を提供するすべての実施形態による、方位決定システムの論理流れ図である。
【図９】
本発明の自動化されたトランザクション処理実施形態による、促進される要求処理システムの論理流れ図である。
【図１０】
本発明のすべての自動化されたトランザクション処理実施形態による、自動化されたトランザクション処理システムの論理流れ図である。
【図１】
2004501351.tif 000003
【図２】
2004501351.tif 000004
【図３】
2004501351.tif 000005
【図４】
2004501351.tif 000006
【図５】
2004501351.tif 000007
【図６】
2004501351.tif 000008
【図７】
2004501351.tif 000009
【図８Ａ】
2004501351.tif 000010
【図８Ｂ】
2004501351.tif 000011
【図９】
2004501351.tif 000012
【図１０Ａ】
2004501351.tif 000013
【図１０Ｂ】
2004501351.tif 000014
【国際公開パンフレット】
2004501351.tif 000015
2004501351.tif 000016
2004501351.tif 000017
2004501351.tif 000018
2004501351.tif 000019
2004501351.tif 000020
2004501351.tif 000021
2004501351.tif 000022
2004501351.tif 000023
2004501351.tif 000024
2004501351.tif 000025
2004501351.tif 000026
2004501351.tif 000027
2004501351.tif 000028
2004501351.tif 000029
2004501351.tif 000030
2004501351.tif 000031
2004501351.tif 000032
2004501351.tif 000033
2004501351.tif 000034
2004501351.tif 000035
2004501351.tif 000036
2004501351.tif 000037
2004501351.tif 000038
2004501351.tif 000039
2004501351.tif 000040
2004501351.tif 000041
2004501351.tif 000042
2004501351.tif 000043
2004501351.tif 000044
2004501351.tif 000045
2004501351.tif 000046
2004501351.tif 000047
2004501351.tif 000048
2004501351.tif 000049
2004501351.tif 000050
2004501351.tif 000051
2004501351.tif 000052
2004501351.tif 000053
2004501351.tif 000054
2004501351.tif 000055
2004501351.tif 000056
2004501351.tif 000057
2004501351.tif 000058
2004501351.tif 000059
2004501351.tif 000060
2004501351.tif 000061
2004501351.tif 000062
2004501351.tif 000063
2004501351.tif 000064
2004501351.tif 000065
2004501351.tif 000066
2004501351.tif 000067
2004501351.tif 000068
2004501351.tif 000069
2004501351.tif 000070
2004501351.tif 000071
2004501351.tif 000072
2004501351.tif 000073
2004501351.tif 000074
2004501351.tif 000075
2004501351.tif 000076
2004501351.tif 000077
2004501351.tif 000078
2004501351.tif 000079
2004501351.tif 000080
2004501351.tif 000081
2004501351.tif 000082
2004501351.tif 000083
2004501351.tif 000084
2004501351.tif 000085
2004501351.tif 000086
2004501351.tif 000087
2004501351.tif 000088
2004501351.tif 000089
2004501351.tif 000090
2004501351.tif 000091
2004501351.tif 000092
2004501351.tif 000093
2004501351.tif 000094
2004501351.tif 000095
2004501351.tif 000096
2004501351.tif 000097
2004501351.tif 000098
2004501351.tif 000099
2004501351.tif 000100
2004501351.tif 000101
2004501351.tif 000102
【国際公開パンフレット（コレクトバージョン）】
2004501351.tif 000103
【手続補正書】
【提出日】平成14年3月11日(2002.3.11)
【手続補正１】
【補正対象書類名】明細書
【補正対象項目名】請求項１１８
【補正方法】変更
【補正の内容】
【請求項１１８】
通信手段と、
データファイルアクセス手段と、そして、
データプロセッサと
を含むデータ処理センタであって、プログラム信号と、前記プログラム信号で提供されるプログラムに関係する追加情報のプロバイダに関連するアドレスとをユーザが受信し、そして、第１位置の指定、ユーザが獲得を望む少なくとも１つの商品／サービスであって、前記プロバイダに関連するところの商品／サービスの指定、及び、アドレスを、前記ユーザから通信手段を介して受信する際に、前記データプロセッサが、指定された商品／サービスを迅速に供給することができる少なくとも１つの目的地の識別を提供するアドレスによって識別されたデータファイルを検索するように前記データファイルアクセス手段に指示し、前記データファイルの内容及び前記第１位置に基づいて少なくとも１つの目的地を決定し、前記通信手段を介して前記ユーザに決定の結果を返し、そして、前記ユーザによる決定の結果の受け入れの際に、前記目的地への到着時の前記ユーザへの商品／サービスの配送を促進するために必要なトランザクション要件を自動的に完了するところのデータ処理センタ。
【手続補正２】
【補正対象書類名】明細書
【補正対象項目名】００３７
【補正方法】変更
【補正の内容】
【００３７】
オンライン情報プロバイダから受信される情報信号は、普通の再生システム２２で普通に表示されるビデオ信号の代わりに静止画又は動画として表示することができ、あるいは、普通の再生システム２２又はコンピュータモニタ４０もしくは他の表示装置で普通に表示されるビデオ信号と共に「ピクチャウィズインピクチャ」表示２３の一部として表示することができる。


【手続補正３】
【補正対象書類名】明細書
【補正対象項目名】００４７
【補正方法】変更
【補正の内容】
【００４７】
ユーザが、広告に関連する施設への方位情報を得ることを求める場合に、ユーザは、たとえばダッシュボード上の特殊なボタンを押すか、好ましくは、車両に設置された音声駆動システム２００に音声コマンドを与えることによって、アクセスコントローラ１０にコマンドを与える。当技術分野で既知の音声認識システムのいずれであっても、本システムと共に使用することができる。音声駆動システムは、コマンド信号をユーザインターフェース５６に送り、ユーザインターフェース５６は、コマンド信号を受け取る。ユーザインターフェース５６は、アドレス抽出器４２に印加される信号を作って、オンライン情報プロバイダの記憶されたアドレスを検索する。これが入手できた場合には、更に、システムは、好ましくはＧＰＳシステムを使用して、車両の現在位置を決定する。


【手続補正４】
【補正対象書類名】明細書
【補正対象項目名】００５５
【補正方法】変更
【補正の内容】
【００５５】
図５に示されたシステムは、ＧＰＳ衛星４２２及び差動ＧＰＳセンタからのＧＰＳ信号を使用して、車両の位置も決定することが好ましい。衛星通信リンク４２６、セルラ／ディジタル／ＰＣＳネットワーク４２８、及び、車両とネットワーク４３２の間の通信を容易にする、当技術分野で既知の他の通信リンクを含む、さまざまな通信リンクも使用することができる。好ましい実施形態では、ＰＣＳディジタルネットワークを、データ処理センタ４３０へのアクセスに使用する。そのような通信リンクは、データプロセッサ／サーバ４３０との間又は、インターネット４３４を介して、プログラム信号に埋め込まれたオンラインアドレスによって指定されるサーバ４３６と、確立されることが好ましい。もちろん、オンラインアドレスを、プログラム信号から分離されて、当技術分野で既知の通信リンクを介して受信することができる。たとえば、アドレスを、ＰＣＳ又はセルラネットワークの制御チャネルを介して受信することができる。


【手続補正５】
【補正対象書類名】明細書
【補正対象項目名】００５９
【補正方法】変更
【補正の内容】
【００５９】
アドレス抽出器５１０は、インジケータ信号ジェネレータ５１６への出力接続５１４を有することが好ましい。インジケータ信号ジェネレータ５１６は、プログラムに関係するより多くの情報が入手可能であること、より具体的には、プログラムに関連するか関係する目的地への方位を提供することができることを、ユーザに通知する。情報及び／又は方位は、アドレス抽出器５１０が、プログラム信号からアドレスを復号し、識別した後に、電子データベース（これは不揮発性であることが好ましい）から入手可能になることが好ましい。インジケータ信号ジェネレータ５１６は、たとえば、ビデオ画像（たとえば、ピクチャウィズインピクチャ、ロゴ、又はアイコン）をユーザインターフェース４４２に表示させる。この実施形態では、インジケータ信号ジェネレータ５１６が、所望される場合に、表示装置５２６へのリンク５２４にも出力信号を供給する。表示装置５２６は、ユーザインターフェース４４２によって提供されるものと同一の装置とするか、別の装置とすることができる。インジケータ信号ジェネレータ５１６の設計は、当技術分野で周知である。


【手続補正６】
【補正対象書類名】明細書
【補正対象項目名】００６５
【補正方法】変更
【補正の内容】
【００６５】
正確な地図作成を容易にするために、アクセスシステム４４０は、ＧＰＳ受信器４１６と通信することが好ましい。ＧＰＳ受信器は、一般的に入手可能であり、当技術分野で周知である。本発明は、そのようなＧＰＳシステムのいずれかを使用することが好ましい。しかし、ＧＰＳ受信器などの位置決定システムを使用しない代替実施形態も、本発明の範囲に含まれると見なされる。好ましい実施形態について図５に示されているように、プロセッサ５３０は、データリンク５３６を介してＧＰＳ受信器４１６から位置信号を受け取る。位置信号は、ＧＰＳ受信器４１６によって、即座に処理されるのに適するフォーマットで生成することができ、あるいは、必要に応じてプロセッサ５３０によって変換することができる。ＧＰＳ受信器４１６は、アクセスシステム４４０にリアルタイム位置決定を提供することが好ましい。本発明は、ＧＰＳシステムを使用して正確な位置情報を提供することが好ましいが、本発明は、時間変化、周波数変化、及び他の測定技法を含む、信号伝送及びラジアルに基づく距離測定装置（ＤＭＥ）；ロラン；既知の送信器位置からの無線周波数の三角測量；ラジアルと結合された２つの無線周波数の交叉；及び小型携帯移動電話機からの９１１発呼者を突き止めるさまざまな方法を含む、他の位置決定システム及び位置決定手法を使用するように構成することができる。車両の位置を決定するこれらのさまざまな方法は、車両内で（アクセスコントローラ内又は類似するコンポーネント内で必要な計算を実行することによって）、又は、車両の現在位置を提供するリモート処理センタとの通信リンクを確立することによって、達成することができる。更に、本発明は、より正確な位置決定又は他の目的のために、複数の位置（ｐｏｓｉｔｉｏｎ／ｌｏｃａｔｉｏｎ）決定システムからの信号を組み合わせるように構成することもできる。当業者は、複数の位置信号を最終的な位置決定に組み合わせるのに必要なさまざまな接続、ハードウェア、及びシステムコンポーネントを諒解する。


【手続補正７】
【補正対象書類名】明細書
【補正対象項目名】００７０
【補正方法】変更
【補正の内容】
【００７０】
図７に、本発明のシステムのもう１つの実施形態を示す。この実施形態では、アクセスシステム４４０が、前の実施形態でセンタ４３０によって実行されたデータ操作機能及びデータ処理機能の多数を実行する。この実施形態では、アクセスシステム４４０が、広告主／プログラマーオンライン情報をホストするＩＳＰ６０８、又は、地図作成機能を提供するプロバイダをホストするＩＳＰ６１２、及び／又は、ローカルエリアディレクトリを提供するプロバイダをホストするＩＳＰ６１４との、無線サービスプロバイダ６０４及びインターネット６０６を介する直接通信リンク６０２を確立する。したがって、アクセスシステム４４０は、前の実施形態でデータ処理センタ４３０によって実行されたデータ要求、処理、記憶、及び操作の機能を提供する。データ処理センタ４３０の機能及び特徴を提供するために必要なプロセッサ５３０が、主に情報の導管として働くプロセッサより高い動作速度及び性能特性を必要とする可能性があることを、当業者は諒解する。さまざまな実施形態に所望される性能特性を提供できるさまざまなプロセッサが、現在存在する。適当なプロセッサのどれでも、本発明によって使用することができる。


【手続補正８】
【補正対象書類名】明細書
【補正対象項目名】００７４
【補正方法】変更
【補正の内容】
【００７４】
本発明のもう１つの実施形態では、ユーザに、「クリック」するかアクセスコントローラ１０に適当に指示して、ＧＰＳシステムによって決定されるユーザの現在位置に最も近い位置又は別の位置（たとえば、ＧＰＳを備えたシステムが使用不能な時）に購入注文を送信することによって、プログラム信号中に示される商品／サービスを購入する機会が与えられる。たとえば、ユーザに、Ｋ−Ｍａｒｔ（登録商標）でのある製品の特別割引品の広告が呈示される時に、ユーザは、ユーザインターフェース５６のボタンの単純な「クリック」又は押下げによって、そのような製品の注文を送信することができる。本発明のシステムは、ユーザの現在位置及びオンライン情報プロバイダを使用して、最も近いＫ−Ｍａｒｔの位置を決定する。本発明は、その後、指定されたＫ−Ｍａｒｔに関する注文を受け入れるシステムとの通信リンクを確立し、宣伝されている製品を注文し、ユーザの現在位置から指定されたＫ−Ｍａｒｔへの方位を提供する。同様に、ユーザ位置情報が使用可能でない時に、購入要求を処理でき、その後、ユーザがＭＯＴＥＳシステムとの互換性を有する位置に進むことができ、小売り位置への到着時に、その位置がＭＯＴＥＳ情報を受信し、要求を促進するように、システムを構成することができる。


【手続補正９】
【補正対象書類名】明細書
【補正対象項目名】００８０
【補正方法】変更
【補正の内容】
【００８０】
ユーザが、アドレスによって識別されるオンライン情報プロバイダにアクセスすることを望む場合に、ユーザは、たとえばダッシュボード、ハンドル、又は他の装置／位置に配置された特殊なボタンを押すことによって（ブロック７０８）、又は音声認識システムが知っている所定の音声コマンドを発行することによって、アドレス抽出器５１０にコマンドを与える。アクセスシステム４４０は、ユーザがその中でインジケータ信号を選択できる時間ウィンドウを提供することが好ましい。この機能は、渋滞の中で車両を運転する時などの、ある応用例で望ましい可能性がある。ユーザが、指定された時間のうちにボタンを押さず、又は、適切な音声コマンドを発する等の他のトリガー信号を提供しない場合（ブロック７１４）、アクセスシステムは、インジケータ信号を非アクティブにし、通常の動作を再開する（すなわち、プログラム信号を呈示しながら次の情報信号の受取を待つ）（ブロック７１６）。代替案では、インジケータシステムが、本発明に必要ではない。この場合には、オンライン情報が、プログラムに関して入手可能であり、ユーザが、上で説明したようにユーザインターフェースを介してオンライン情報をアクティブにすることができると仮定する。


【手続補正１０】
【補正対象書類名】明細書
【補正対象項目名】００９５
【補正方法】変更
【補正の内容】
【００９５】
このシステムは、位置及び方位を保存する機能も提供する（ブロック７３６及びブロック７３８）。たとえば、システムは、ユーザが、方位が使用可能であることを指定するインジケータ信号を選択する時に、ユーザの位置を保存することができる。この形で、システムは、ユーザが出発点に戻れるようにする指示をユーザに与えることもでき、これによって、ユーザが道に迷わないことが保証される。自宅、仕事場などの既知の位置をデータ記憶手段に記憶することによって、情報信号によって指定される施設を訪れた後に、ユーザに既知の位置への道を教えるように、本発明を構成することができる。データ記憶システムは、このシステムが、情報信号に応答して施設の位置を記憶できるようにし、これによって、望みに応じてユーザがアクセスできる位置のデータベースが提供される（ブロック７４０）。


【手続補正１１】
【補正対象書類名】明細書
【補正対象項目名】０１０１
【補正方法】変更
【補正の内容】
【０１０１】
図１０に示されているように、また、図９を参照すると、この処理は、ユーザのユニット９０８が、追加情報を識別するアドレスを含むプログラム内容を含むプログラム信号を受信する時（ブロック１００２）に開始されることが好ましい（ブロック１０００）。ユーザのユニット９０８は、アドレスが使用可能であることを適当に識別し、ユーザへのインジケータ信号を生成する（ブロック１００４）。アドレスがユーザにプッシュされる、前の実施形態で述べたように、システムは、ブロック１００４を除去し、ユーザが情報の受け取りを望むことを示した後に、アドレス又は追加情報のユーザへの自動的なプッシュに進むことができる。したがって、この実施形態は、「プッシュ」システム又は「プル」システムのいずれかとの互換性を有することが好ましい。


【手続補正１２】
【補正対象書類名】明細書
【補正対象項目名】０１０７
【補正方法】変更
【補正の内容】
【０１０７】
システムは、ローカル言語に適当に変換することができる（たとえば、英語を話すユーザが、主にドイツ語が使用される国を旅行する時に、母国語をドイツ語に変換させる）世界共通語で注文を目的地位置９１０に通信することが好ましい。言語変換のプログラム及びシステムは、当技術分野で周知であり、そのようなシステムのどれであっても、本発明によって直接に又は間接的に（たとえば、翻訳サービスを提供するインターネットサイトを介して）使用することができる。同様に、ユーザのシステム９０８とベンダのシステム９１０の間の通信を、直接的又は間接的とすることができることと、どのレベルの操作容易性又はシステム機能性であっても、望みに応じて、システム９００又はそのさまざまな要素によって、全体として又は個別に提供することができることを諒解されたい。
ユーザの注文選択の位置を通知する際に、処理は、これらが注文を満たすことができるか否かについての位置決定を継続する（ブロック１０２０）。位置が注文を満たすことができる場合には、処理は継続して、トランザクション要件を完了し（ブロック１０２８）、ユーザが位置に到達した際に、注文した商品／サービスをユーザが受け取り（ブロック１０３０）、そして次いで、処理が終了する（ブロック１０３２）。上記位置が注文を満たすことができない場合には、処理は、他の選択、即ち、位置を推奨するシステムを継続し（ブロック１０２２）、ユーザはこれを受け入れ又は拒絶できる（ブロック１０２４）。他の選択、即ち、位置が受け入れられた場合には、処理は、上述したブロック１０２８−１０３２を継続する。他の選択、即ち、位置が受け入れられない場合には、セッションを終了し、そして、要求を満たすことが不可能である旨をユーザは通知され（ブロック１０２６）、そして、処理は終了する（ブロック１０３２）。
【手続補正１３】
【補正対象書類名】図面
【補正対象項目名】図２
【補正方法】変更
【補正の内容】
【図２】
2004501351.tif 000104
【手続補正１４】
【補正対象書類名】図面
【補正対象項目名】図３
【補正方法】変更
【補正の内容】
【図３】
2004501351.tif 000105
【手続補正１５】
【補正対象書類名】図面
【補正対象項目名】図５
【補正方法】変更
【補正の内容】
【図５】
2004501351.tif 000106
【手続補正１６】
【補正対象書類名】図面
【補正対象項目名】図６
【補正方法】変更
【補正の内容】
【図６】
2004501351.tif 000107
【手続補正１７】
【補正対象書類名】図面
【補正対象項目名】図７
【補正方法】変更
【補正の内容】
【図７】
2004501351.tif 000108
【手続補正１８】
【補正対象書類名】図面
【補正対象項目名】図９
【補正方法】変更
【補正の内容】
【図９】
2004501351.tif 000109
【国際調査報告】
2004501351.tif 000110